(57)【特許請求の範囲】
【請求項１】
毛切断器具のブレードセットのための静止ブレードであって、
前記ブレードセットは、毛を切断する動作方向において毛を通じて動かされるように配置され、
当該静止ブレードは、
−  動作中に皮膚に面する壁部分としての機能を果たすように配置される第１の壁部分と、第２の壁部分とを含み、各壁部分は、
−  第１の表面と、
−  該第１の表面から見て外方に向く第２の表面と、
−  それぞれの先端を備える複数の相互に離間する突起を含む少なくとも１つの歯付き前縁とを定め、
該歯付き前縁は、動作中に取る前記動作方向に対して横断方向において少なくとも部分的に延在し、
前記相互に離間する突起は、前記動作方向に対する前記横断方向に対してほぼ垂直な長手方向において少なくとも部分的に前方に延び、
前記第１の壁部分の前記第１の表面及び前記第２の壁部分の前記第１の表面は、少なくともそれらの前縁で、互いに面し合い、
前記第１及び第２の壁部分の対向する突起は、それらの突起の先端で相互に接続されて、複数の歯を定め、
前記第１の壁部分の前記第１の表面及び前記第２の壁部分の前記第１の表面は、それらの間に、前記ブレードセットの可動ブレードのためのガイドスロットを定め、
前記第１の壁部分は、その前記第２の表面に、少なくとも前記前方に延びる突起に、円滑化された移行領域を含み、
該移行領域は、前記第１の壁部分の前記第２の表面の実質的に平坦な領域から前記第２の壁部分に向かって延び、それにより、前記実質的に平坦な領域から前記前方に延びる突起のそれぞれの先端に移行し、
前記移行領域は、前記歯に先端丸みを含み、
該先端丸みは、少なくとも、第１の縁丸みと、第２の縁丸みとを含み、前記先端丸みは、前記第２の壁部分の前記第２の表面に更に接線方向に接続され、
前記第１の縁丸みの半径と前記第２の縁丸みの半径との間の比率は、約１．５：１よりも大きく、好ましくは、約２：１よりも大きく、より好ましくは、約２．５：１よりも大きい、
静止ブレード。
【請求項２】
前記移行領域は、前記第１の壁部分の前記実質的に平坦な領域に接線方向に接続される、請求項１に記載の静止ブレード。
【請求項３】
前記移行領域は、前記横断方向に対して垂直な断面平面において見られるときに、前記第１の壁部分の前記第２の表面の前記実質的に平坦な領域から前記先端に向かって半径が漸進的に減少する少なくとも１つの実質的に湾曲する区画を含む、請求項１又は２に記載の静止ブレード。
【請求項４】
前記移行領域は、前記横断方向に対して垂直な断面平面において見られるときに、異なる半径を有する複数の丸み区画で構成される湾曲した形状を含む、請求項１乃至３のうちのいずれか１項に記載の静止ブレード。
【請求項５】
前記移行領域は、前記第１の壁部分の前記第２の表面に、前記第１の縁丸みと前記第２の縁丸みとを含む前記先端丸みに移行する底丸みを含む、一連の隣接する半径を含む、請求項１乃至４のうちのいずれか１項に記載の静止ブレード。
【請求項６】
前記底丸みの半径と前記第１の縁丸みの半径との間の比率は、約８：１よりも大きく、好ましくは、約１０：１よりも大きく、より好ましくは、約１２：１よりも大きい、請求項５に記載の静止ブレード。
【請求項７】
前記移行領域は、前記先端から前記実質的に平坦な領域まで延びる長手方向寸法を含み、前記底丸みと前記長手方向寸法との間の比率は、約２．５：１〜４．５：１の範囲内、好ましくは、約３．２：１〜４：１の範囲内、より好ましくは、約３．４：１〜３．８：１の範囲内にある、請求項５又は６に記載の静止ブレード。
【請求項８】
前記移行領域は、前記横断方向に対して垂直な断面平面において見られるときに、少なくとも１つの実質的に傾斜した区画を含む、請求項１乃至７のうちのいずれか１項に記載の静止ブレード。
【請求項９】
前記少なくとも１つの実質的に傾斜した区画と前記長手方向及び前記横断方向と実質的に平行な水平平面との間の面取り角が、約２５°〜３５°の範囲内にあり、好ましくは、前記面取り角は、約２８°〜３２°の範囲内にある、請求項８に記載の静止ブレード。
【請求項１０】
前記移行領域は、当該静止ブレードの前記第１の壁部分と前記第２の壁部分とを接続する領域の長手方向寸法に実質的に対応する、前記先端から前記実質的に平坦な領域まで延びる長手方向寸法を含み、前記第１及び第２の壁部分のそれぞれの対向する突起は、相互に接続される、請求項１乃至９のうちのいずれか１項に記載の静止ブレード。
【請求項１１】
前記第１の壁部分及び前記第２の壁部分は、第１の歯付き前縁及び第２の歯付き前縁を定め、前記第１の歯付き前縁及び前記第２の歯付き前縁は、互いに外方に向くその長手方向端部分に配置され、当該静止ブレードは、２つの対応する歯付き前縁を含む可動ブレードを収容するために配置される、請求項１乃至１０のうちのいずれか１項に記載の静止ブレード。
【請求項１２】
少なくとも前記第１の壁部分は、実質的に平坦な形状を含み、その前記第２の表面にある前記実質的に平坦な領域は、前記第１の歯付き前縁と関連付けられる第１の移行領域と前記第２の歯付き前縁と関連付けられる第２の移行領域との間に配置される、請求項１１に記載の静止ブレード。
【請求項１３】
毛を切断する動作方向において毛を通じて動かされるように配置される、毛切断器具のためのブレードセットであって、
請求項１乃至１２のうちのいずれか１項に記載の静止ブレードと、
少なくとも１つの歯付き前縁を備える可動ブレードとを含み、
前記静止ブレードに対する前記可動ブレードの線形動作又は回転の後に、前記可動ブレードの前記歯付き前縁が前記静止ブレードの前記歯と協働して、切断作用においてそれらの間に捕らえられる毛の切断を可能にするよう、前記可動ブレードは、前記静止ブレードによって定められる前記ガイドスロット内に可動に配置される、
ブレードセット。
【請求項１４】
モータを収容するハウジングと、
請求項１３に記載のブレードセットとを含み、
前記静止ブレードは、前記ハウジングに接続可能であり、
前記モータが前記静止ブレードの前記ガイドスロット内で前記可動ブレードを線形に駆動させ或いは回転させ得るよう、前記可動ブレードは、前記モータに動作可能に接続可能である、
毛切断器具。
【発明の詳細な説明】
【技術分野】
【０００１】
本開示は、毛切断器具に関し、具体的には、電気的に作動させられる毛切断器具に関し、より具体的には、そのような器具のためのブレードセットの静止ブレードに関する。ブレードセットは、毛を切断する動作方向において毛を通じて動かされるよう配置されてよい。静止ブレードは、第１の壁部分及び第２の壁部分で構成されてよく、第１の壁部分及び第２の壁部分は、それらの間にガイドスロットを定め、ガイドスロットでは、可動ブレードが少なくとも部分的に取り囲まれて案内されてよい。
【背景技術】
【０００２】
ＤＥ２０２６５０９Ａは、毛及び／又は髭切断器具のための切断ヘッドを開示しており、切断ヘッドは、基本的に管状の側方に延びる本体として成形される静止コーム（櫛）を含み、管状の本体は、互いに外方を向く２つの側方に延びる屈曲突出区画を含み、各屈曲区画は、共通の先端部分に延びる第１の壁部分及び第２の壁部分を含み、第１の壁部分及び第２の壁部分は、可動ブレードのための案内領域を取り囲み、屈曲区画は、複数のスロットを含み、複数のスロットでは、切断操作中に、切断されるべき毛が捕らえられて、可動ブレードに向かって案内され得る。可動ブレードは、第１及び第２の屈曲区画と協働する基本的にＵ形状のプロファイルを有し、Ｕ形状プロファイルの各脚は、それぞれの第１及び第２の壁部分によって定められる案内領域に延びる、外向きに屈曲する縁部分を含み、縁部分は、歯付き切断縁を更に含み、歯付き切断縁は、可動ブレードの歯付き切断縁と、第１及び第２の屈曲区画内の複数のスロットによって定められる静止コームの歯付き縁との間の相対的な動作において、捕捉される毛を切断する。
【０００３】
ＵＳ２，９４８，０６３Ａは、乾式シェーバのためのヘッドを開示しており、ヘッドは一対の外向きに延びるフランジを有するカッタを含み、２列のカッタ歯がフランジの外側端に沿って定められ、凹部が歯の列と平行に歯の列に直ぐ隣接してフランジに形成されて、フランジを強化し且つその捩りを防止し、歯の列を凹部に接続する各フランジの部分は、歯の上面によって定められる平面に対して鋭角に下向きに延び、ヘッドは、２列の歯を有するコームと、カッタ歯を付勢してコーム歯と係合させる弾性手段とを含み、フランジは、２列のカッタ歯に沿ってのみコームと係合する。
【０００４】
ＵＳ２，２９０，３２６Ａは、ケーシングと、ケーシングの前方端に固定されるブレードホルダであって、各クランプが剪断ブレードアセンブリの対応する端と重なり合うように構成される内側に曲がった突出リップを備える、一対のクランプを有するブレードホルダと、ブレードホルダ内のクランプ閉塞手段と、剪断ブレードアセンブリの解放のためにクランプの開放を許容するようそれぞれのクランプと関連付けられ且つ手動操作に晒される手段とを含む、剪断装置を開示している。
【０００５】
体毛を切断する目的のために、基本的には２つの慣行的に区別される種類の電動器具、即ち、ひげそり(razor)と、ヘアトリマ(heir trimmer)又はクリッパ(clipper)とが存在する。一般的には、ひげそりは、シェービングのために、即ち、無精ひげがない滑らかな皮膚を得るよう皮膚のレベルで体毛を切り取るために用いられる。ヘアトリマは、典型的には、皮膚からの選択的な距離で毛を切断するために、即ち、毛を所望の長さに切断するために用いられる。用途の相違は、両方の器具で実行される切断ブレード構成の異なる構造及びアーキテクチャに反映されている。
【０００６】
電気ひげそりは、典型的には、フォイル、即ち、極薄の穿孔付きスクリーンと、フォイルの内側に沿ってフォイルに対して移動可能なカッタブレードとを含む。使用中、フォイルを貫通するあらゆる毛がホイルの内側に対して動くカッタブレードによって切り取られて、ひげそりの内側の中空の毛収集部分内に落ちるように、フォイルの外側が皮膚に対して配置され且つ押し付けられる。
【０００７】
他方、電気ヘアトリマは、典型的には、歯付き縁を有する概ね２つのカッタブレードを含み、それぞれの歯付き縁が重なり合うように、一方のカッタブレードが他方のカッタブレードの上に配置される。操作中、切断ブレードは互いに対して往復動し、それらの歯の間に捕らえられるあらゆる毛を鋏作用において切り取る。毛を切り取る皮膚より上の精密なレベルは、（スペーサ）ガード又はコームと呼ばれる追加的な取り付け可能な部材を用いて決定されるのが普通である。
【０００８】
更に、シェービング目的及びトリミング目的の両方に基本的に適合させられる組み合わせ装置も知られている。しかしながら、これらの装置は、２つの分離した別個の切断区画、即ち、上記で提示した動力ひげそりの着想に匹敵する構成を含むシェービング区画と、他方ではヘアトリマの着想に匹敵する構成を含むトリミング区画とを含むに過ぎない。
【０００９】
残念ながら、一般的な電気ひげそりは、毛を皮膚より上の所望の可変の長さに切断することに、即ち、精密なトリミング操作に特に適していない。これは、少なくとも部分的には、それらがフォイル、結果的に、カッタブレードを皮膚から離間させる機構を含まないという事実によって説明され得る。しかしながら、それらが、例えば、間隔コームのような、アタッチメントスペーサ部品を追加することによって、そのような機構を含むとしても、多数の小さな円形の穿孔を包含するのが典型的であるフォイルの構成は、最も短く最も堅い毛以外の全ての毛の効率的な捕捉を減少させる。
【００１０】
同様に、主として、別個のカッタブレードは、変形せずに鋏作用を遂行するために、特定の剛性(rigidity)、従って、厚みを必要とするので、一般的なヘアトリマは、シェービングに特に適していない。毛が皮膚に近接して切り取られるのをしばしば妨げるのは、その皮膚に面するブレードの最低限必要とされるブレード厚さである。結果的に、体毛をシェービングすること及びトリミングすることの両方を望む使用者は、２つの別個の器具を購入して適用するのが必要なことがある。
【００１１】
更に、組み合わせシェービング及びトリミング装置は、幾つかの欠点を示す。何故ならば、それらは基本的には２つの切断ブレードセット及びそれぞれの駆動機構を必要とするからである。結果的に、これらの装置は、標準的な種類の単一目的の毛切断器具よりも重く、摩耗の影響をより受けやすく、高価な製造プロセス及び組立てプロセスも必要とするからである。同様に、これらの組み合わせ装置を操作することは、多くの場合にむしろ不快であり複雑であると感じられる。２つの別個の切断区画を含む従来的な組み合わせシェービング及びトリミング装置が利用される場合においてさえも、装置を取り扱うこと及び異なる動作モードの間で切り換えることは、時間がかかり、使い勝手が全く良くない、と考えられることがある。切断区画は、典型的には、装置の異なる場所に設けられるので、案内精度は（従って、切断精度も）減少させられることがある。何故ならば、使用者は操作中に２つの別個の主要な保持位置に慣れる必要があるからである。
【発明の概要】
【発明が解決しようとする課題】
【００１２】
代替的な静止ブレードと、シェービング及びトリミングの両方を可能にする対応するブレードセットとを提供することが、本開示の目的である。具体的には、シェービング操作及びトリミング操作の両方において快適な使用者経験に寄与することがある静止ブレード及びブレードセットが提供されてよい。より具体的には、本開示は、例えば、上述のような、既知の従来技術の毛切断ブレードにおいて固有の少なくとも幾つかの欠点に取り組んでよい。好ましくは、幾つかの皮膚の種類に適合させられながら、改良された操作性能を示すことがある、ブレードセットを提供するのが、更に有利である。
【課題を解決するための手段】
【００１３】
本開示の第１の特徴において、毛切断器具のブレードセット（ブレード組）のための静止ブレードが提示され、ブレードセットは、毛を切断するための動作方向において毛を通じて動かされるように配置され、静止ブレードは、動作中に皮膚に面する壁部分としての機能を果たすように配置される第１の壁部分と、第２の壁部分とを含み、各壁部分は、第１の表面と、第１の表面から見て外方に向く第２の表面と、それぞれの先端を備える複数の相互に離間した突起を含む少なくとも１つの歯付き前縁とを定め、歯付き前縁は、動作中に取られる動作方向に対して横断方向Ｙ，ｔにおいて少なくとも部分的に延び、相互に離間する突起は、横断方向Ｙ，ｔに対してほぼ垂直な長手方向Ｘ，ｒにおいて少なくとも部分的に前方に延び、第１の壁部分の第１の表面及び第２の壁部分の第１の表面は、少なくともそれらの前縁で、互いに面し合い、第１及び第２の壁部分の前縁に沿う対向する突起は、それらの先端で相互に接続されて、複数の歯を定め、第１の壁部分の第１の表面及び第２の壁部分の第１の表面は、それらの間に、ブレードセットの可動ブレードのためのガイドスロットを定め、第１の壁部分は、その第２の表面で、少なくとも前方に延びる突起に、円滑化された移行領域を含み、移行領域は、第１の壁部分の実質的に平坦な（又は平坦な）領域から第２の壁部分に向かって後方に延び、それにより、実質的に平坦な領域から前方に延びる突起のそれぞれの先端に移行し、移行領域は、歯に先端丸みを含み、先端丸みは、少なくとも、第１の縁丸みＲｔ１と、第２の縁丸みＲｔ２とを含み、先端丸みは、第２の壁部分の第２の表面に更に接線方向に接続され、第１の縁丸みＲｔ１と第２の縁丸みＲｔ２との間の比率は、約１．５：１よりも大きく、好ましくは、約２．１よりも大きく、より好ましくは、約２．５：１よりも大きい。
【００１４】
換言すれば、より一般的に言えば、毛切断器具のためのブレードセットが提示され、ブレードセットは、毛を切断する動作方向において毛を通じて動かされるように配置され、ブレードセットは、可動ブレードと、静止ブレードとを含み、静止ブレードは、ブレードセットの動作中に可動ブレードを少なくとも部分的に取り囲むように並びに少なくとも第１の方向において可動ブレードを案内するように配置され、可動ブレードは、主要部分と、切断部分とを含み、静止ブレードは、第１、第２、及び第３のガード部分を含み、各ガード部分は、第１及び第２の表面を有し、それぞれのガード部分の第１の側は、使用中、皮膚に面する側であり、第２の側は、皮膚から見て外方に向く側であり、第１、第２及び第３のガード部分は、可動ブレードの切断部分を少なくとも部分的に取り囲み、ブレードセットの動作方向において見られるときに、第３のガード部分が切断部分に先行し、第１及び第２のガード部分は、それぞれ、可動ブレードの皮膚に面する側及び皮膚から見て外方に向く側で、第３のガード部分から延び、第３のガード部分の第１の表面は、円滑化された（滑らかにされた）移行領域を含み、移行領域は、第１の表面の実質的に平坦な（又は平坦な）領域から第３のガード部分に向かって後方に延びる。
【００１５】
現時点で開示する静止ブレードは、少なくとも１つの本質的にＵ形状の前縁を含んでよく、第１の皮膚に接触する壁と、第２の支持壁とを有してよい。それらの壁は、互いに概ね平行に反対に延びてよく、一連の離間したＵ形状（即ち、二重壁の）歯の形成の下で前縁に沿って互いに接続されてよい。静止ブレードの全体的なＵ形状、より具体的には、歯のＵ形状は、静止ブレードの構造を強化する。Ｕ形状の歯の脚の間に、スロットが設けられてよく、可動ブレードは、スロット内に収容されて案内されてよい。換言すれば、静止ブレードは、複数の歯を含む一体化されたガード部分を含んでよく、それは、同時に、可動ブレードの歯のための一体化された保護ケージを定めてよい。結果的に、静止ブレードの輪郭は、可動ブレードの歯が静止ブレードの歯を越えて外向きに突出し得ないように形作られてよい。
【００１６】
具体的には、ブレードセットの構造的強度は、ヘアトリマの従来的な単一の平面的なカッタブレードと比べて改良されることがある。第２の壁部分は、ブレードセットのための背骨としての機能を果たすことがある。ブレードセットの全体的な剛性(stiffness)又は強度(strength)も、従来的なシェービングひげそり器具に比べて増大されることがある。これは静止ブレードの第１の皮膚に接触する壁が従来的なヘアトリマのカッタブレードよりも有意に薄く作製されるのを可能にするので、実際には、幾つかの実施態様において、その厚さは、必要であれば、ひげそりフォイルの厚さに近づいてよい。
【００１７】
静止ブレードは、同時に、十分な剛性(rigidity)及び剛性(stiffness)を備える切断縁（切断エッジ）構成をもたらすことがある。結果的に、強化された歯付き切断縁は、外向きに延びてよく、それぞれの歯の間に歯空間を含んでよく、それは、頂面図において見られるときに、Ｕ形状又はＶ形状であってよく、従って、基本的には切断されるべき毛の実際の長さに拘わらず、切断されるべき毛を受け取って可動ブレード及び静止ブレードに設けられる切断縁に案内することがある、コーム（櫛）のような受入れ部分を定めてよい。結果的に、ブレードセットは、より長い毛も効率的に捕らえるように構成され、それはトリミング性能を有意に向上させる。しかしながら、より長い毛を剃り落とすことも、このようにして容易化されることがある。何故ならば、切断されるべき毛は、従来的なシェービング器具のフォイルの場合にそうであるように、静止ブレードによって過剰に曲げられずに、歯の切断縁に案内されることがあるからである。よって、静止ブレードは十分なシェービング性能及びトリミング性能の両方をもたらすことがある。
【００１８】
ここにおいて用いるとき、円滑化された移行領域、或いは、より一般的に、移行領域は、面取りされた移行領域を指し、或いは移行的な湾曲した領域を指し、或いはそれらの組み合わせを指す。また、少なくとも１つの面取り区画及び少なくとも１つの湾曲した区画の両方を含む移行領域も想起されてよい。更に、ここにおいて用いるとき、ガイドスロットを横断方向に延びるガイドスロットと呼ぶことがあり、それは、装置の一般的な配置に依存して、側方に延びるガイドスロットと円周方向に及び／又は接線方向に延びるガイドスロットとを含んでよい。
【００１９】
移行部分は、一般的には、切断操作中に皮膚に沿って滑らかに摺動するように構成される摺動部分と考えられてよい。特定の条件の下で、切断のために実際に用いられる少なくとも１つの（歯付き）切断縁は、皮膚に浸り(dip)或いは突っ込む(plunge)傾向を有することがあることが観察された。これは、特に、鋭利な縁の切断部分が用いられるときに当て嵌まる。皮膚浸り(dipping)は、皮膚の種類に概ね依存することがある。ブレードセットは、滑らかな皮膚よりも皺のある皮膚に突き刺さる可能性が高いことがある。更に、皮膚より下の脂肪組織は皮膚を極めて柔らかくさせ、従って、突っ込みの出現の影響をより受け易い。ブレードセットが動作中に皮膚に突っ込み、案内された動作の故に皮膚を幾分押すときにはいつでも、皮膚は皺になることがあるのに対し、膨らみが形成されて、ブレードセットで皮膚の上で波のように動かされることがある。皮膚浸りは、一般的には、望ましくない皮膚刺激の危険性を増大させることがあり、或いは皮膚切断の出現の危険性さえも増大させることがある。
【００２０】
従って、少なくとも１つの前縁は、有利な方法において成形される移行部分を備える。一般的には、移行部分は、湾曲した及び／又は面取りした部分と考えられてよい。ブレードセットは、皮膚に対して僅かに傾けられて概ね案内されるのに対し、皮膚表面とブレードセットとの間の大きな傾斜の角度は、皮膚浸りの出現の危険性を増大させることがある。前縁にある移行部分は、皮膚浸りを相当に減少させることがある。換言すれば、前縁は有益な形状を備えてよく、従って、皮膚に浸るよりもむしろ、皮膚表面で偏向させられることがある。使用者が同じ向きにおいて同じ案内力でブレードセットを案内していると想定するならば、そのそれぞれの前縁に移行部分を含むブレードセットは、皮膚の上を移動させられるときに皮膚を滑らかにするのに対し、鋭利な縁を示すブレードセットは、皮膚に浸り、膨らみを形成し、且つ皮膚刺激を引き起こす可能性がより高い。
【００２１】
この点に関して更に述べるに値することは、移行領域、好ましくは、第１の壁部分の第２の表面全体が、高さ方向Ｚにおいて皮膚に向かって延びる第１の壁部分の第２の表面で、外向きに延びる突起を包含しない形状を含まないことが更に好ましいことである。結果的に、少なくとも幾つかの実施態様において、移行領域は、実質的に平坦な又は平面的な第２の表面に重ね合わせられる追加的な幾何学的構成と考えられてはならない。
【００２２】
ここにおいて用いるとき、横断方向という用語は、側方方向を指してもよく、円周（又は接線）方向を指してもよい。基本的には、ブレードセットの線形構成が想起されてよい。更に、湾曲した又は円形のセグメントを含んでもよい、ブレードセットの湾曲した又は円形の構成も想起されてよい。一般的には、横断方向は、操作中の意図される動作方向に対して（少なくとも実質的に）垂直であると考えられてよい。後者の定義は、線形実施態様及び湾曲実施態様の両方に当て嵌まってよい。
【００２３】
静止ブレードの歯を形成する離間突起は、たとえば、側方に及び／又は円周方向に離間した突起として配置されてよい。突起は、特に線形実施態様に関して、平行に離間させられてよい。幾つかの実施態様において、突起は、円周方向に離間させられてよい、即ち、互いに対してある角度に整列させられ或いは配置されてよい。ガイドスロットは、横断方向に延びるガイドスロットとして配置されてよく、それは側方に延びる及び／又は円周方向に延びるガイドスロットを含んでよい。ガイドスロットが実質的に接線方向に延びるガイドスロットであることも想起されてよい。その上、充填領域(filled  region)が、第１の壁部分及び第２の壁部分が接続される領域に設けられてよい。充填領域は、第３の中間壁部分と考えられてよく、或いは第３の中間壁部分によって形成されてよい。換言すれば、第１の壁部分及び第２の壁部分は、それらの前縁で中間壁部分を介して間接的に接続されてよい。
【００２４】
上記で提示したように、移行領域は、第１の壁部分の実質的に平坦な領域から第２の壁部分に向かって後方に延びる。従って、移行領域が、実質的に平坦な領域に隣接する基準端平面を越えて突出しない（即ち、使用中に、高さ方向Ｚにおいて皮膚に向かって突出する）ことが好ましいことがある。基準端平面は、Ｚ方向に対して垂直な平面と考えられてよい。移行領域は、第１の壁部分の第２の表面の後方に傾斜する(receding)端ゾーンを含んでよい。第２の表面の後方に傾斜する端ゾーンは、少なくとも１つの前縁の領域における幾分引っ込められた表面と考えられてよい。移行領域は、Ｙ方向（又はｔ方向）に対して垂直な側面図の向きにおいて見られるときに、テーパ形状を備える少なくとも１つの前縁をもたらしてよい。
【００２５】
一般的には、静止ブレード及び可動ブレードは、静止ブレードに対する可動ブレードの線形又は回転動作の後に、可動ブレードの歯付き前縁が静止ブレードの歯と協働して、切断作用においてそれらの間に捕らえられる毛の切断を可能にするように構成され且つ配置されてよい。線形動作は、具体的には、往復動する線形切断動作を指してよい。
【００２６】
更に好ましいことがあるのは、移行領域が、第１の壁部分の実質的に平坦な（又は平坦な）領域に接線方向に接続されることである。このようにして、滑らかな摺動動作が達成されることがある。移行領域は、歯に先端丸みを含むのが好ましい。そのような先端丸みは、従来的な毛切断装置において時折見出されることがあるのが認められるが、この点において更に強調されることは、移行領域が、単に歯の先端よりも歯付き前縁のより大きな部分に亘ることである。
【００２７】
他の好適な特徴によれば、移行領域は、横断方向Ｙ，ｔに対して垂直な断面において見られるときに、少なくとも１つの実質的に凸状の湾曲した区画（又は凸状に湾曲した区画）を含む。更に好ましいことがあるのは、移行領域が、横断方向Ｙ，ｔに対して垂直な断面において見られるときに、異なる半径の区画で構成される湾曲した区画を含むことである。
【００２８】
この点において更に好ましいことがあるのは、移行領域が、第１の壁部分の第２の表面で、第１の縁丸みＲｔ１と第２の縁丸みＲｔ２とを含む先端丸みに移行する底半径Ｒｔｂを含む、一連の隣接する半径を含むことである。換言すれば、歯付き前縁の鋭利な前方縁に配置される縁半径に加えて、更なる後方に配置される半径が設けられてよい。
【００２９】
この点において一層更に好ましいことがあるのは、底半径の半径Ｒｔｂと第１の縁丸みの半径Ｒｔ１との間の比率が、約８：１よりも大きく、好ましくは、約１０：１よりも大きく、より好ましくは、約１２：１よりも大きいことである。この点において強調されるのは、移行領域が、静止ブレードの歯を形成する突起の長手方向延伸に匹敵する長手方向延伸を有してよいことである。移行領域は、静止ブレードの歯の先端の単なる縁丸み部分に限定されない。
【００３０】
換言すれば、切断縁の皮膚に面する側での半径は、皮膚から見て外方に面する切断縁の側での半径よりも大きくてよい。これは有益であることがある。何故ならば、このようにして、皮膚から見て外方に向く側にある少しの材料だけが取り除かれるからである。結果的に、前縁の第２の縁は、静止ブレードを依然として相当に強化することがある。
【００３１】
この点において更に好適であることがあるのは、移行領域が、先端から実質的に平坦な領域まで延びる長手方向寸法ｌｔ１を含み、底半径Ｒｔｂと長手方向寸法ｌｔ１との間の比率が、約２．５：１〜４．５：１の範囲内、好ましくは、約３．２：１〜４：１の範囲内、より好ましくは、約３．４：１〜３．８：１の範囲内にあることである。このようにして、より一層滑らかな移行が達成されることがある。
【００３２】
他の代替的な実施態様において、移行領域は、横断方向Ｙ，ｔに対して垂直な断面平面において見られるときに、少なくとも１つの実質的に傾斜した区画（又は傾斜した区画）を含む。既に上記で示したように、具体的には、底半径Ｒｔｂの少なくとも一部が、実質的に線形に延びる傾斜した区画と置換されてよい。換言すれば、傾斜した区画は、底半径Ｒｔｂと第１の縁丸みＲｔ１とを接続してよい。
【００３３】
この点において更に好適であることがあるのは、少なくとも１つの実質的に傾斜した区画と長手方向Ｘ，ｒ及び横断方向Ｙ，ｔと実質的に平行な（又は平行な）水平平面との間の面取り角αが、約２５°〜３５°の範囲内にあり、好ましくは、面取り角αが、約２８°〜３２°の範囲内にあることである。
【００３４】
他の実施態様によれば、移行領域は、静止ブレードの充填領域の長手方向寸法ｌｆ１に少なくとも実質的に対応する、先端から実質的に平坦な領域まで延びる長手方向寸法をｌｔ１含み、第１及び第２の壁部分のそれぞれの対向する突起は相互に接続される。静止ブレードの一般的な配置の故に、その歯は、各々の叉(prong)がそれぞれの歯によって定められる複数の叉を有するコーム（櫛）のような構造を形成するよう、長手方向に延びてよい。この実施態様において、静止ブレードの叉を形成する歯の先端は、可動ブレードの歯のそれぞれの先端に対して（長手方向Ｘ，ｒに沿う送り方向又は案内方向において）有意に前方にシフトされるのが好ましい。その場合には、移行領域の長手方向延伸を相応して伸ばすのが特に有益である。
【００３５】
他の実施態様によれば、第１の壁部分及び第２の壁部分は、第１の歯付き前縁及び第２の歯付き前縁を定め、第１の歯付き前縁及び第２の歯付き前縁は、互いに外方に向くその長手方向端部分に配置され、静止ブレードは、２つの対応する歯付き前縁を含む可動ブレードを収容するために配置される。この点において更に好ましいのは、少なくとも第１の壁部分が、実質的に平坦な形状を含み、その第２の表面にある実質的に平坦な領域が、第１の歯付き前縁と関連付けられる第１の移行領域と第２の歯付き前縁と関連付けられる第２の移行領域との間に配置されることである。
【００３６】
本開示の他の特徴は、モータを収容するハウジングと、本開示の原理に従った静止ブレードを含むブレードセットとを含む、毛切断器具であって、静止ブレードは、ハウジングに接続可能であり、モータが、静止ブレードのガイドスロット内で可動ブレードを線形に駆動させ或いは回転させ得るよう、可動ブレードは、モータに動作可能に接続可能である、毛切断器具に向けられている。具体的には、ブレードセット、少なくともその静止ブレードは、ここに議論する特徴及び実施態様の少なくとも一部に従って形成されてよい。
【００３７】
本開示のこれらの及び他の構成及び利点は、添付の図面と共に考慮されるならば、本開示の特定の実施態様の以下の詳細な記述からより十分に理解されるであろう。図面は本開示を例示することを意図し、限定することを意図しない。
【００３８】
本開示の幾つかの特徴は、以下に記載する実施態様から明らかであり、それらを参照して解明されるであろう。
【図面の簡単な説明】
【００３９】
【図１】本開示に従ったブレードセットの例示的な実施態様を備える例示的な電気毛切断器具の図式的な斜視図を示している。
【図２】毛切断操作のために図１に示す毛切断器具に取り付け可能な本開示に従った静止ブレードと可動ブレードとを含むブレードセットの図式的な斜視底面図である。
【図３】図２に示すブレードセットの図式的な斜視頂面図である。
【図４】図２に示すブレードセットの頂面図である。
【図５】図４の線Ｖ−Ｖに沿う図２に示すブレードセットの側断面図である。
【図６】その前縁での図５に示すブレードセットの拡大詳細図である。
【図７ａ】図４の線ＶＩＩ−ＶＩＩに沿う図２に示すブレードセットの代替的な実施態様の側断面図である。
【図７ｂ】その静止ブレードと可動ブレードとの間の隙間部分での図７ａに示すブレードセットの拡大詳細図である。
【図８】図７ａ及び７ｂに示すブレードセットの部分斜視底面図であり、幾つかの歯を含むその前縁の一部を示している。
【図９】図２に示すブレードセットの部分斜視頂面図であり、側方開口を含むその側方端を例示している。
【図１０】図９の図面に対応する更なる部分斜視頂面図であり、静止ブレードの壁部分が単に例示の目的のために省略されている。
【図１１】図２のブレードセットの斜視分解頂面図を示している。
【図１２】幾つかの歯を含むその前縁での図４に示す静止ブレードの詳細頂面図を示している。
【図１３】図１２に従ったブレードセットの詳細頂面図を示しており、隠された輪郭は、主として例示の目的のために破線によって示されている。
【図１４】本開示の原理に従ったブレードセットの代替的な実施態様の斜視頂面図である。
【図１５ａ】図１４に示すブレードセットの静止ブレードの拡大部分側面図を示している。
【図１５ｂ】図１５ａに示す静止ブレードの拡大部分断面図を示している。
【図１６ａ】製造プロセスの幾つかの段階での、製造中である、本開示の原理に従った例示的なブレードセットの層状の構造を示しており、ストリップ材料の形態において提供される幾つかのセグメント又は層の図式的な斜視頂面図を示している。
【図１６ｂ】製造プロセスの幾つかの段階での、製造中である、本開示の原理に従った例示的なブレードセットの層状の構造を示しており、幾つかのセグメント又は層で形成される結合ストリップの図式的な部分斜視頂面図を示している。
【図１６ｃ】製造プロセスの幾つかの段階での、製造中である、本開示の原理に従った例示的なブレードセットの層状の構造を示しており、図１６ｂに例示する結合ストリップから得られるセグメント化された積重ねの図式的な斜視頂面図を示している。
【図１６ｄ】製造プロセスの幾つかの段階での、製造中である、本開示の原理に従った例示的なブレードセットの層状の構造を示しており、図１６ｃに示す層状の積重ねの図式的な拡大部分斜視側面図であり、層状の積重ねの前縁部分は機械加工されている。
【図１６ｅ】製造プロセスの幾つかの段階での、製造中である、本開示の原理に従った例示的なブレードセットの層状の構造を示しており、図１６ｄに示す層状の積重ねの前縁部分の図式的な部分拡大斜視頂面図を示しており、複数の長手突起が前縁に形成されている。
【図１６ｆ】製造プロセスの幾つかの段階での、製造中である、本開示の原理に従った例示的なブレードセットの層状の構造を示しており、図１６ｅに従った層状の積重ねの前縁の図式的な拡大斜視頂面図を示しており、長手突起の縁が処理されている。
【図１７】本開示に従ったブレードセットのための層状の又はセグメント化された静止ブレードを製造するシステムの例示的な実施態様の簡略化された概略図を示している。
【図１８】本開示の幾つかの特徴に従った静止ブレードを形成し得る幾つかの中間ストリップの簡略化された図式的な頂面図を示しており、中間ストリップは、主として例示の目的のために、相互に分離された状態において示されている。
【図１９】本開示の幾つかの特徴に従った例示的な製造方法の実施態様の幾つかのステップを提示する例示的なブロック図を示している。
【図２０】本開示の幾つかの実施態様に従ったブレードセットを製造するための例示的な方法の実施態様の更なるステップを提示する更なる例示的なブロック図を示している。
【発明を実施するための形態】
【００４０】
図１は、簡略化された斜視図において、毛切断器具１０、具体的には、電気毛切断器具１０の例示的な実施態様を図式的に例示している。切断器具１０は、ハウジング１２と、ハウジング１２内に破線ブロック１４によって示すモータと、ハウジング１２内に破線ブロック１６によって示す駆動機構とを含んでよい。モータ１４に動力供給するために、切断器具１０の少なくとも幾つかの実施態様では、ハウジング１２内に破線ブロック１７によって示す、例えば、充電可能なバッテリ、交換可能なバッテリ等のような、電気バッテリが提供されてよい。しかしながら、幾つかの実施態様において、切断器具１０は、電源を接続するための電力ケーブルを更に備えてよい。（内部）電気バッテリ１２に加えて又はその代わりに、電源コネクタが提供されてよい。
【００４１】
切断器具１０は、切断ヘッド１８を更に含んでよい。切断ヘッド１８で、ブレードセット２０が毛切断器具１０に取り付けられてよい。ブレードセット２０は、切断運動を可能にする駆動機構１６を介して、モータ１４によって駆動させられてよい。
【００４２】
切断運動は、図２−１８により詳細に示し且つ例示し、そして、以下に記載し且つ議論する、静止ブレード２２と可動ブレード２４との間の相対的な動作と概ね考えられてよい。一般的には、使用者が切断器具１０を掴み、毛を切断する動作方向２８において毛を通じて切断器具１０を案内してよい。幾つかの用途において、切断器具１０、或いは、より具体的には、ブレードセット２０を含む切断ヘッド１８を、皮膚で成長する毛を切断するために皮膚に沿って進め得る。皮膚に近接して毛を切断するときには、基本的には、皮膚のレベルでのカッティング(cutting)（又はチョッピング(chopping)）を目的として、シェービング操作を遂行し得る。しかしながら、クリッピング(clipping)（又はトリミング(trimming)）操作も想定され、その場合、ブレードセット２０を含む切断ヘッド１８は、皮膚に対する所望の距離にある経路に沿って進められる。従来技術のブレードセットは、一般的には、皮膚に近接した滑らかなシェービング及び皮膚から少し離れたカッティング（又はトリミング）の両方をもたらし得ない。
【００４３】
毛を通じて案内され或いは導かれるとき、ブレードセット２０を含む切断器具１０は、典型的には、図１に参照番号２８によって示す一般的な動作方向に沿って動かされる。よって、この関係において述べるに値することは、毛切断器具１０が典型的には手動で案内され且つ動かされると考えるならば、動作方向２８は、切断器具１０及びブレードセット２０を備えるその切断ヘッド１８の向きに関して一定の定義及び関係を有する精密な幾何学的基準実体として解釈される必要が必ずしもないということである。即ち、皮膚で切断されるべき毛に対する毛切断器具１０の全体的な向きは、幾分不安定であると解釈されてよい。しかしながら、例示の目的のために、（仮想）移動方向は、以下においてブレードセット２０の記載している構造機能のための手段としての役割を果たしてよい座標系の主軸と平行（又は概ね平行）であると適切に想定され得る。
【００４４】
参照の容易さのために、座標系が図１−１８の幾つかにおいて示されている。一例として、デカルト座標系Ｘ−Ｙ−Ｚが図１−１３の幾つかにおいて示されている。それぞれの座標系のＸ軸は、この開示の目的のために、長さと概ね関連付けられる長手軸に延びる。座標系のＹ軸は、この開示の目的のために、幅と概ね関連付けられる側方（横断）方向に延びる。座標系のＺ方向は、少なくとも一部の実施態様においては、参照の目的のために概ね垂直方向とも呼ぶこともある、高さ又は厚さ方向に延びる。静止ブレードの特徴的な機能及び／又は延伸(extension)への座標系の関連付けは、主として例示的な目的のために提供され、限定的に解釈されてはならないのは言うまでもない。代替的な実施態様、異なる向きを含むそれぞれの図面及び例示に直面させられるとき、当業者はここに提供される座標系を転換し且つ／或いは移転することがあることが理解されなければならない。この関係において留意するに値することは、図２−１３に例示するブレードセット２０の（線形）実施態様が、１つだけの長手端に単一歯付き切断縁（切断エッジ）を含む片側配列又は静止ブレード２２及び可動ブレード２４のそれぞれの前縁(leading  edges)によって相互に定められる２つの概ね対向する歯付き切断縁を含む両側配列を概ね含んでよいことである。
【００４５】
図１４、１５ａ及び１５ｂに示すブレードセット２０ａの代替的な実施態様に関して、代替的な座標系が主として例示的な目的のために提示されている。図１４において見ることができるように、デカルト座標系の軸Ｚを示す高さ（又は厚さ）に基本的に対応してよい、中心軸Ｌを有する極座標系が提供される。中心軸Ｌは回転の中心軸と考えられてもよい。更に、中心軸Ｌに由来する径方向又は距離ｒが、図１４、１５ａ及び１５ｂに示されている。更に、基準径方向と目下の径方向との間の角度を描写する角位置を示す座標δ（デルタ）が提供されてよい。加えて、湾曲矢印ｔ’、具体的には、円周矢印ｔ’が、図１４、１５ａ及び１５ｂに例示されている。湾曲矢印ｔ’は、図１４に示す直線の接線矢印ｔによっても示される、円周及び／又は接線方向を示す。当業者は、１つの実施態様との関係において記載される本開示の幾つかの特徴が、特定の開示される実施態様に限定されず、従って、それらがデカルト座標系との関係において導入され且つ提示されるか或いは円柱座標系との関係において導入され且つ提示されるかに拘わらず、それらが他の実施態様に容易に移転され且つ適用され得ることを容易に理解するであろう。
【００４６】
可動ブレード２４と静止ブレード２２との間の切断動作は、基本的には、円形相対運動、具体的には、往復動する線形動作を含んでよい。例えば、図３（参照番号３０）を参照のこと。しかしながら、図１４、１５ａ、１５ｂに示す実施態様との関係において、静止ブレード２２と可動ブレード２４との間の相対的な切断動作は、相対的な回転を含んでもよい。切断回転動作は、一方向回転を含んでよい。更に、代替的な実施態様において、切断動作は、双方向回転、具体的には、振動を含んでもよい。線形及び／又は回転切断動作を可能にする切断器具１０のための駆動機構１６の幾つかの構成は、当該技術分野において知られている。具体的には、振動切断運動に関して、湾曲又は円形ブレードセット２０ａは、必ずしも完全な円に成形される必要はない。対照的に、湾曲又は円形ブレードセット２０ａは、単なる円形セグメント又は湾曲セグメントとして成形されてもよい。この関係において更に述べる価値があるのは、以下のことである。即ち、当業者は、具体的には、かなり大きな半径を有する回転切断動作のために配置される円形ブレードセット２０ａが、特にそれぞれの前縁の一部又は円形セグメントのみが考えられるときに、理解のためにほぼ線形に成形されるブレードセットとして解釈されてよいことを理解するであろう。結果的に、線形の実施態様を定め且つ説明するためのデカルト座標系も図１４に移転されてよく、図１４に例示される。
【００４７】
図２−１３は、図１において導入される線形に成形されるブレードセット２０の実施態様及び特徴を例示している。図２及び３において見ることができるように、ブレードセット２０は、静止ブレード２２（即ち、典型的には切断器具１０のモータ１４によって直接的に駆動させられないブレードセット２０のブレード）を含む。更に、ブレードセット２０は、可動ブレード２４（即ち、切断器具１０に取り付けられるときに、静止ブレード２２に対する切断動作を生成するためにモータ１４に駆動させられてよい、ブレードセット２０のブレード）を含む。線形の（往復動する）切断動作が参照番号３０によって示す二重矢印によって図３に例示されている。換言すれば、可動ブレード２４は、横断（又は側方）方向に沿って静止ブレード２２に対して動かされてよい。図３のＹ軸を参照。一般的には、線形切断動作は、比較的小さな双方向ストロークを包含してよく、従って、往復動する線形動作として解釈されてよい。更に、（想定される）移動方向２８が図３に例示されている。理論的には、毛を切断するとき、切断器具１０、結果的に、ブレードセット２０は、側方又は横断方向Ｙに対して直角であってよい方向２８に沿って動かされる。この関係において図１４、１５ａ及び１５ｂに示される円形の又は湾曲したブレードセット２０ａの代替的な実施態様を更に参照すると、この形状について、（仮想の）理想的な移動方向２８は、切断されるべき毛を通じる案内された送り動作の間にブレードセット２０ａの前方先導地点で接線又は円周方向ｔに対して垂直であってよいことが明らかになる。換言すれば、ブレードセット２０ａの湾曲した又は円形の実施態様のための理想的な移動方向２８は、中心軸Ｌから実際の先導地点まで延びる実際の径方向ｒと概ね一致してよい。
【００４８】
しかしながら、動作中、実際の送り移動方向は（仮想の）理想的な移動方向２８から有意に異なることがあることが強調される。従って、動作中、軸方向の移動方向は、側方方向Ｙ又は接線方向ｔに対して完全に垂直でなく、結果的に、長手方向Ｘと完全に平行でない可能性が極めて高いことが理解されなければならない。
【００４９】
図２−１３に示すブレードセット２０の線形の実施態様に戻って、可動ブレード２４を切断方向３０において駆動させるために可動ブレード２４に連結されてよい駆動係合部材２６を例示する図３を更に参照する。この目的を達成するために、駆動係合部材２６は可動ブレード２４に取り付けられ或いは固定されてよい。ブレードセット２０が切断器具１０に取り付けられるとき、駆動係合部材２６は、動作中にモータ１６によって駆動させられるよう、駆動機構１６に連結されてよい。
【００５０】
図４において最良に見ることができるように、ブレードセット２０は、基本的には、高さ方向に対して垂直な頂面図において見られるときに、長方形の形状又は輪郭を含んでよい。図２及び３を参照。静止ブレード２２は、長手方向端に少なくとも１つの前縁３２を含んでよい。より具体的には、この開示の目的のために、少なくとも１つの前縁３２，３４を少なくとも１つの歯付き前縁３２，３４と呼ぶこともある。図４に示す実施態様によれば、静止ブレード２２は、第１の前縁３２と、第２の前縁３４とを含み、第１の前縁３２及び第２の前縁３４は、互いに対向している。前縁３２，３４の各々は、複数の突起３６と、それらの間のそれぞれのスロットとを備えてよい。幾つかの実施態様において、突起３６は、実質的に長手方向Ｘ（又は径方向ｒ）に突出してよい。換言すれば、突起３６の長手方向の延伸は、横断又は側方方向Ｙ（又は接線方向ｔ）に沿うそれらの幅方向の延伸よりも相当に大きくてよい。例示的な目的のために、以下において突起３６を長手方向に延びる突起３６と呼ぶことがあるが、限定的に理解されてはならない。長手方向に延びる突起３６は、それぞれの外向きに面する先端３８を含んでよい。長手方向に延びる突起３６は、静止ブレード２２のそれぞれの歯４０を定めてよい。それぞれの前縁３２，３４に沿って、歯４０は、歯空間４２と交互してよい。ブレードセット２０の例示的な実施態様は、約８ｍｍ〜１５ｍｍの範囲内の、好ましくは、約８ｍｍ〜１２ｍｍの範囲内の、より好ましくは、約９．５ｍｍ〜１０．５ｍｍの範囲内の、全体的な長手方向の寸法１ｌｏを含んでよい。ブレードセット２０は、約２５ｍｍ〜４０ｍｍの範囲内の、好ましくは、約２７．５ｍｍ〜３７．５ｍｍの範囲内の、より好ましくは、約３１ｍｍ〜３４ｍｍの範囲内の、全体的な側方延伸１ｔｏを含んでよい。この点に関して図１８を参照のこと。しかしながら、例示的な実施態様は、全体的な開示の範囲を限定するものとして解釈されてはならない。
【００５１】
本発明に従ったブレードセット２０，２０ａは、好ましくは、シェービング動作及びトリミング（又はクリッピング）動作の両方をカバーする、広い用途をもたらす。これは、少なくとも部分的には、可動ブレード２４を少なくとも部分的に取り囲んで収容してよい静止ブレード２２のハウジング機能性の故であると考えられてよい。更に図５及び６を参照すると、図４の線Ｖ−Ｖに沿うブレードセット２０の側断面図及びそれぞれの詳細図が示されており、以下に説明される。図５において見ることができるように、静止ブレード２２は、第１の壁部分４４と、第２の壁部分４６と、それらの間に配置される中間壁部分４８とを含んでよい。図５及び６に関して、それぞれの壁部分４４，４６，４８の線影（ハッチング）は、静止ブレード２２が必ず別個の層又はスライスで構成されるべきことを示してよいが、幾つかの実施態様では、静止ブレード２２は、実際には、第１の壁部分４４、第２の壁部分４６及び中間壁部分４８を形成する単一の一体部品で構成されてよいことが留意されるべきである。代替的に、幾つかの実施態様では、静止ブレード２２は、２つの別個の部品で構成されてよく、それらの部品の少なくとも１つは、第１の壁部分４４、第２の壁部分４６及び中間壁部分４８のうちの少なくとも２つを形成してよい。更に、留意するに値するのは、幾つかの代替的な実施態様において、第１の壁部分４４、第２の壁部分４６及び中間壁部分４８の少なくとも１つが、２つ又はそれよりも多くの層又はセグメントで構成されてよいことである。
【００５２】
ここにおいて用いるとき、第１の壁部分４４という用語は、典型的には、切断器具１０の操作中に皮膚に面する静止ブレード２２の壁部分を指してよい。結果的に、第２の壁部分４６は、操作中に皮膚から見て外方に向き且つ器具１０ハウジング１２に面する静止ブレード２２の壁部分と考えられてよい。図４を続けて参照し、図１１の分解図を特に参照すると、静止ブレード２２の有利な実施態様が記載されている。図１１は、ブレードセット２０の分解斜視図を示している。図３も参照のこと。図１１において見ることができるように、好適な実施態様において、第１の壁部分４４は、第１の壁セグメント５０によって、具体的には、第１の層５０によって形成されてよい。第１の層５０は、皮膚に面する層と考えられてよい。第２の壁部分４６は、第２の壁セグメント５２によって、具体的には、第２の層５２によって形成されてよい。第２の層５２は、操作中に皮膚から見て外方に向く層と考えられてよい。中間壁部分４８は、中間壁セグメント５４によって、具体的には、中間層５４によって形成されてよい。組み立てられて一緒に固定されるとき、中間層５４は、第１の層５０と第２の層５２との間に配置される。
【００５３】
図１１において最良に見ることができるように、中間層５４は必ずしも単一の一体部品である必要はない。むしろ、少なくとも先進の製造状態で、少なくとも中間層５４は、以下に更に詳細に示し且つ議論する複数の別個の副部品で構成されてよい。一緒に取られるとき、例えば、固定的に相互接続されるとき、第１の層５０、第２の層５２及び中間層５４は、セグメント化された積重ね５６、より好ましくは、層状の積重ね５６を定めてよい。例示的な実施態様において、層状の積重ね５６は、三層状の積重ね５６と考えられてよい。複数の壁部分４４，４６，４８の、好ましくは、複数の層５０，５２，５４の静止ブレード２２を形成することは、基本的には、異なる種類及び形状の別個の単一の部分又は層を使用することを可能にする。例えば、図６を特に参照すると、（平均）厚さｔ１と呼ぶこともある第１の壁部分４４（又は層５０）の高さ寸法ｔ１は、（平均）厚さｔ２と呼ぶこともある第２の壁部分４６（又は第２の層５２）のそれぞれの高さ寸法ｔ２と異なってよく、（平均）厚さｔｉと呼ぶこともある中間壁部分４８（又は中間層５４）の高さ寸法ｔｉと異なってよい。これは特に有益である。何故ならば、このようにして、壁部分４４，４６，４８（又は層５０，５２，５４）の各々は、意図される機能に適切に適合させられた別個の特性及び別個の形状を有することがあるからである。
【００５４】
例えば、厚さｔ２は、厚さｔ１よりも相当に大きくてよい。このようにして、第２の壁部分４６（又は第２の層５２）は、剛化部材としての機能を果たして、相当な剛性(rigidity)をもたらしてよい。結果的に、第１の壁部分４４（又は第１の層５０）は、静止ブレード２２を過剰に可撓にせずに、相当により薄くなることがある。特別に薄い第１の壁部分４４（又は第１の層５０）を設けることは、皮膚に近接した、好ましくは、皮膚レベルでの、毛の切断を許容する。このようにして、滑らかなシェービング体験が達成されることがある。積重ね５６の全体的な高さ寸法ｔｏは、基本的には、それぞれの部分的な高さ寸法ｔ１，ｔ２，ｔｉによって定められる。この関係において留意するに値することは、幾つかの実施態様において、第１の壁部分４４（又は第１の層５０）の厚さｔ１及び第２の壁部分４６（又は第２の層５２）の厚さｔ２は、同じであってよく或いは少なくとも実質的に同じであってよい。一層更なる他の実施態様では、中間層５４（又は中間層５４）の厚さｔｉも同じであってよい。
【００５５】
一例として、少なくとも、少なくとも１つの前縁３２，３４での厚さｔ１は、０．０４ｍｍ〜０．２５ｍｍの範囲内、好ましくは、約０．０４〜０．１８ｍｍの範囲内、より好ましくは、約０．０４ｍｍ〜０．１４ｍｍの範囲内にあってよい。すくなくとも、すくなくとも１つの前縁３２，３４での厚さｔ２は、約０．０８〜０．４ｍｍの範囲内、好ましくは、約０．１５ｍｍ〜０．２５ｍｍの範囲内、より好ましくは、約０．１８ｍｍ〜０．２２ｍｍの範囲内にあってよい。少なくとも、少なくとも１つの前縁３２，３４での厚さｔｉは、約０．０５ｍｍ〜約０．５ｍｍの範囲内、好ましくは、約０．０５ｍｍ〜約０．２ｍｍの範囲内にあってよい。少なくとも、少なくとも１つの前縁３２，３４での全体的な厚さｔｏは、約０．３ｍｍ〜約０．７５ｍｍの範囲内、好ましくは、約０．４ｍｍ〜０．５ｍｍの範囲内にあってよい。
【００５６】
幾つかの実施態様では、以下のことが概ね好ましい。即ち、第１の壁部分は、前縁３２，３４での、少なくともその長手方向の突起部分で、第２の壁部分４６の平均の厚さｔ２よりも少ない平均の厚さｔ１を有してよい。本開示の静止ブレード２２，２２ａの必ずしも全ての実施態様が、少なくともその前縁での第１の壁部分４４の平均的な厚さｔ１よりも大きい、少なくともその前縁での平均的な厚さｔ２を有する、第２の壁４６を含む必要がないことを更に記す。
【００５７】
図５を続けて参照すると、静止ブレード２２の少なくとも１つの前縁３２，３４での少なくとも１つの充填領域５８が示されている。充填領域５８は、第１及び第２の壁部分４４，４６（又は層５０，５２）をそれらの前縁３２，３４で接続する、中間壁部分４８（又は中間層５４）の部分と考えられてよい。図５、６、１０及び１１において見ることができるように、少なくとも完成状態において、充填領域５８は、それぞれの前縁３２，３４での歯４０の数に対応してよい複数の副部分で構成されてよい。前縁３２，３４での充填領域５８に隣接して、少なくとも１つのハウジング領域９２が設けられてよく、静止ブレード２２は、少なくとも１つのハウジング領域９２で、可動ブレード２４を少なくとも部分的に取り囲む。換言すれば、切断動作中に切断器具１０のモータ１４によって駆動させられる可動ブレード２４のための案内経路としての機能を果たしてよい、少なくとも１つのガイドスロット７６（図３、９、１０及び１６ｃを特に参照）を定め得る。図１０、１１、１６ａ及び１６ｃにおいて最良に見ることができるように、ガイドスロット７６は、基本的には、中間壁部分４８（又は中間層５４）内の切欠き部分６８によって定められてよい。幾つかの実施態様において、切欠き部分６８は、静止ブレード２２の側方又は横断端まで延び、それにより、製造中に可動ブレード２４を静止ブレード２４内に挿入してよい側方開口７８を定める。図９及び１０も参照のこと。
【００５８】
ガイドスロット７６は、図２−１３に例示するブレードセット２０の例示的な線形の実施態様の可動ブレード２４のための線形経路を定めてよい。しかしながら、図１４、１５ａ及び１５ｂに示すブレードセット２０ａの湾曲した又は円形の実施態様を参照すると、ガイドスロット７６は、湾曲経路、具体的には、それぞれの（湾曲した又は円形の）可動ブレード２４のための円周方向に延びる経路を定めてもよい。
【００５９】
図５を参照し、図１１を更に参照すると、静止ブレード２２の基本的に側方に並びに長手方向に延びる表面８０，８２，８４，８６，８８，９０が記載されている。参照の容易性のために、第１の層５０、第２の層５２及び中間層５４という用語は、静止ブレード２２の一般的な配置（レイアウト）を記載するために以下に用いられる。しかしながら、それは限定的に解釈されてはならず、従って、層という用語は壁部分及び壁セグメントという代替的な用語によってそれぞれ任意的に置換されてよいことが強調される。
【００６０】
操作中に皮膚に面する第１の層５０は、皮膚から見て外方に向く第１の表面８０と、皮膚に面する第２の表面８６とを含んでよい。第２の層５２は、皮膚から見て外方に向く第２の表面８８と、皮膚及び第１の層５０に面する第１の表面８２とを含んでよい。中間層５４は、第１の層５０に面する第１の表面８４と、第２の層５２に面する第２の表面９０とを含んでよい。第１の層５０及び第２の層５２のそれぞれの第１の表面８０，８２は、中間層５４内の切欠き部分６８を少なくとも部分的に覆って、少なくとも１つのハウジング領域９２、結果的に、可動ブレード２４のためのガイドスロット７６を定めてよい。
【００６１】
少なくとも１つの前縁３２，３４に、具体的には、静止ブレード２２の第１の層５０の皮膚に面する第２の表面８６に、円滑化された（滑らかにされた）移行領域９４と呼び得る少なくとも１つの移行領域９４を設けてよい。図５及び６に示す静止ブレード２２の例示的な実例的な実施態様は、各長手方向端に、それぞれの前縁３２，３４を含むので、２つのそれぞれの移行領域９４が設けられてよい。少なくとも１つの移行領域９４は、毛を切断するために皮膚の上の毛を通じて動作方向２８に沿って動かされるときに、ブレードセット２０の摺動可能特性を強化することがある。具体的には、少なくとも１つの移行領域９４は、ブレードセット２０、特に、切断のために用いられるその前縁３２，３４が、皮膚に沿って摺動するときに皮膚部分に突っ込むのを防止することがある。このようにして、皮膚刺激を減少させ得る。このようにして、皮膚切開の出現も回避し或いは少なくとも大きな程度まで減少させ得るのが好ましい。移行領域９４は第１の層５０の実質的に平坦な領域９８に接続され且つそこから延びてよい。この実質的に平坦な領域９８は、第１の層５０の第２の表面８６の基本的に平面的な形状の部分と考えられてよい。一般的には、ここにおいて用いられるとき、実質的に平坦という用語は、平面的な形状を包含してよいが、僅かに平らでない表面も包含してよい。述べるに値することは、実質的に平坦な領域９８は、全体的な平坦な又は平面的な形状を実質的に損なわない、穿孔、小さな凹部等を含んでよいことである。幾つかの実施態様において、実質的に平坦な領域９８は、平面的な表面を包含してよい。これは少なくとも第１の層５０が最初にシート又はシート状の材料として提供されるときに特に当て嵌まる。移行領域９４は、前縁３２の相当な部分に亘ってよい。具体的には、移行領域９４は、第１の層５０にある実質的に平坦な領域９８を第２の層５２にある実質的に平坦な領域１００に接続してよい。また、実質的に平坦な領域１００は、平坦な又は平面的な領域として整形されてよいが、その全体的な平坦な形状を損なわない（軽微な）穿孔又は凹部を備えてもよい。
【００６２】
図４において最良に見ることができるように（線Ｖ−Ｖを参照のこと）、図５及び６に例示される断面は、前縁３２，３４の歯４０の先端１０２を通じる縦断面を含む。結果的に、移行領域９４も歯付き前縁３２，３４の歯４０に主に形成されてよい。移行領域９４は、静止ブレード２２の歯先端１０２と実質的に平坦な領域９８との間の長手方向の延伸ｌｔ１を含んでよい。一例として、長手方向の延伸ｌｔ１は、約０．５ｍｍ〜約１．５ｍｍの範囲内、好ましくは、約０．６ｍｍ〜約１．２ｍｍの範囲内、より好ましくは、約０．７ｍｍ〜約０．９ｍｍの範囲内にあってよい。その上、移行領域９４は、幾つかの区画を含んでよい。図５及び６において見ることができるように、移行領域９４は、実質的に平坦な領域９８及び実質的に平坦な領域１００に接線方向に混じり合う、実質的に凸状の表面を含んでよい。更に、移行領域９４は、実質的に平坦な領域９８を越えて（即ち、高さ方向Ｚにおいて）突出しない。換言すれば、移行領域９４は、実質的に平坦な領域９８から第２の層５２に向かって後方に延びてよい。移行領域９４は、高さ方向Ｚにおいて実質的に平坦な領域９８から離れる方向に少なくとも部分的に延びてよい。
【００６３】
図６において最良に見ることができるように、移行領域９４は、底半径Ｒｔｂを含んでよい。一例として、底半径Ｒｔｂは、約１．０ｍｍ〜約５．０ｍｍの範囲内、好ましくは、約２．０ｍｍ〜約４．０ｍｍの範囲内、より具体的には、約２．７ｍｍ〜約３．３ｍｍの範囲内にあってよい。更に、少なくとも１つの縁半径を包含してよい先端丸み１１６がもたらされてよい。具体的には、先端丸み１１６は、第１の縁丸みＲｔ１と、第２の縁丸みＲｔ２とを含んでよい。一例として、第１の縁丸みＲｔ１は、約０．１０ｍｍ〜約０．５０ｍｍの範囲内、好ましくは、約０．１５ｍｍ〜約０．４０ｍｍの範囲内、より好ましくは、約０．２０ｍｍ〜約０．３０ｍｍの範囲内にあってよい。一例として、第２の縁丸みＲｔ２は、約０．０３ｍｍ〜約０．２０ｍｍの範囲内、好ましくは、約０．０５ｍｍ〜約０．１５ｍｍの範囲内、より好ましくは、約０．０７ｍｍ〜約０．１０ｍｍの範囲内にあってよい。底半径Ｒｔｂ、第１の縁丸みＲｔ１、及び第２の縁丸みＲｔ２は、互いに接線方向に混じり合ってよい。しかしながら、代替的に又は追加的に、それぞれの半径に接線方向に接続されてもよいそれぞれの直線部分が、それらの間に設けられてよい。底半径Ｒｔｂは、実質的に平坦な領域９８に、接線方向に混じり合ってよい。第２の縁丸みＲｔ２は、実質的に平坦な領域１００に、接線方向に混じり合ってよい。
【００６４】
しかしながら、図７ａ及び８において最良に見ることができるように、移行領域９４は、底半径Ｒｔｂと置換し或いは底半径Ｒｔｂを補完してよい傾斜区画１２４を備えてもよい。傾斜区画１２４は、長手方向Ｘ及び横断方向Ｙと実質的に平行な水平平面に対する面取り角α（アルファ）を含んでよく、面取り角αは、約２５°〜３５°の範囲内にあってよい。傾斜区画１２４は、実質的に平坦な領域９８に、接線方向に混じり合うのが好ましい。傾斜区画１２４は、先端丸み１１６に、接線方向に混じり合うのがより一層好ましい。図４において見ることができるように（線ＶＩＩ−ＶＩＩを参照のこと）、図７ａは、歯空間４２を包含するブレードセット２０の部分断面図を示している。
【００６５】
換言すれば、移行領域９４は、底半径Ｒｔｂと傾斜区画１２４との組み合わせを含んでもよい。換言すれば、底半径Ｒｔｂは、実質的に平坦な領域９８と面取り角αを含む傾斜区画１２４との間の接線方向移行部としての機能を果たしてよい。その長手方向の端に面する端で、傾斜区画１２４は、例えば、更に上で記載した第１の縁丸みＲｔ１及び第２の縁丸みＲｔ２によって定められてよい先端丸み１１６に、接線方向に混じり合ってよい。
【００６６】
図１１及び図４を更に参照して、可動ブレード２４の配置を更に詳述する。可動ブレード２４も少なくとも１つの前縁を備えてよい。図４及び１１に示すブレードセット２０の例示的な実施態様によって示されるように、可動ブレード２４は、第１の前縁１０６と、第２の前縁１０８とを含んでよい。前縁１０６，１０８の各々は、複数の歯１１０を備えてよい。可動ブレード２４と静止ブレード２２との間の相対的な切断動作を可能にするために適合されるブレードセット２０の幾つかの実施態様では、１つだけの静止ブレード前縁３２及びそれぞれの単一の可動ブレード前縁１０６が設けられてよい。しかしながら、多くの用途のためには、静止ブレード２２にある２つの前縁３２，３４及び可動ブレード２４にある２つの対応する前縁１０６，１０８を包含するブレードセット２０の構成が、特に有益であることがある。何故ならば、このようにして、切断器具１０はより可撓になることがあり、一層更なる切断動作、例えば、切断性能を向上させることがある移動方向２８に沿う皮膚での前後動作を許容することがあるからである。換言すれば、図２−１３に例示するブレードセット２０の実施態様は、一般的には、ブレード２２，２４の１つだけの長手方向端にある単一の切断縁を含む片側配置、又はそれぞれの前縁３２，３４及び１０６，１０８によって相互に定められる２つの概ね対向する切断縁を含む両側配置を包含してよい。
【００６７】
図１２及び１３を参照して、静止ブレード２２の歯４０及び可動ブレード２４の歯１１０の関連する寸法を記載する。図１２は、ブレードセット２０の歯付き部分の部分的に拡大された頂面図を例示しているのに対し、図１３は、隠された縁を破線によって示すことによって、図１２に示す図を更に詳説している。静止ブレード２２の歯４０は、ピッチ寸法ｐに配置されている。一例として、ピッチｐは、約０．４ｍｍ〜約１．０ｍｍの範囲内、好ましくは、約０．５ｍｍ〜約０．８ｍｍの範囲内、より好ましくは、約０．６ｍｍ〜約０．７ｍｍの範囲内にあってよい。歯４０は、側方延伸ｗｔｓを更に含む。一例として、側方延伸ｗｔｓは、約０．２５ｍｍ〜０．６０ｍｍの範囲内、好ましくは、約０．３０ｍｍ〜約０．５０ｍｍの範囲内、より好ましくは、約０．３５ｍｍ〜約０．４５ｍｍの範囲内にあってよい。静止ブレードの歯空間４２は、側方延伸ｗｓｓを含む。一例として、側方延伸ｗｓｓは、約０．１５ｍｍ〜０．４０ｍｍの範囲内、好ましくは、約０．２０ｍｍ〜約０．３３ｍｍの範囲内、より好ましくは、約０．２５ｍｍ〜０．２８ｍｍの範囲内にあってよい。歯４０は、それらの先端１０２とそれぞれの歯ベース１０４との間の長手方向延伸ｌｔｓを更に含む。一例として、長手方向延伸ｌｔｓは、約０．６ｍｍ〜２．５ｍｍの範囲内、具体的には、約１．０ｍｍ〜２．０ｍｍの範囲内、より具体的には、約１．５ｍｍ〜２．０ｍｍの範囲内にあってよい。
【００６８】
相応して、可動ブレード２４の歯１１０は、長手方向寸法ｌｔｍと、（平均）側方歯延伸ｗｔｍと、（平均）側方歯空間延伸ｗｓｍとを含んでよい。一例として、長手方向延伸ｌｔｍは、約０．１５ｍｍ〜２．０ｍｍの範囲内、好ましくは、約０．５ｍｍ〜約１．０ｍｍの範囲内、より好ましくは、約０．５ｍｍ〜０．７ｍｍの範囲内にあってよい。更に、静止ブレード２２の歯４０の先端１０２と可動ブレード２４の歯１１０の先端１１２との間に、長手方向オフセット寸法ｌｏｔが定められる。一例として、長手方向オフセット寸法ｌｏｔは、約０．３ｍｍ〜２．０ｍｍの範囲内、好ましくは、約０．７ｍｍ〜約１．２ｍｍの範囲内、より好ましくは、約０．８ｍｍ〜１．０ｍｍの範囲内にあってよい。図１３に示すような頂面図において見ることができるように、静止ブレード２２の歯４０の先端１０２は、テーパ角β（ベータ）を含んでよい。先端１０２の端で、テーパ角βのそれぞれの脚の間に、側方歯先端幅ｗｔｔを含む鈍ら先端部分が設けられてよい。幾つかの実施態様において、先端１０２のテーパ角βは、約３０°〜５０°の範囲内、より好ましくは、約３５°〜４５°の範囲内、より一層好ましくは、約３８°〜４２°の範囲内にあってよい。歯先端１０２の側方幅は、約０．１２ｍｍ〜０．２０ｍｍの範囲内、好ましくは、約０．１４ｍｍ〜０．１８ｍｍの範囲内にあってよい。
【００６９】
図５及び６に戻って、ブレードセット２０のセグメント化された構造化された形状の更なる有益な特徴を例示し且つより詳細に記載する。可動ブレード２４の歯１１０及び静止ブレード２２の歯４０が整列させられる（図４の線Ｖ−Ｖを参照のこと）、図６において最良に見ることができるように、明確な隙間部分１１８が、静止ブレード充填部５８の内向きに面する端面１１４と可動ブレード２４の歯１１０の先端１１２との間に設けられる。図１３も参照のこと。隙間部分１１８は、隙間長手方向寸法ｌｃｌと、隙間高さ寸法ｔｃｌとを含む。隙間長手方向寸法ｌｃｌ及び隙間高さ寸法ｔｃｌは、少なくとも高い確率で、毛が隙間部分１１８に進入するのを防止するよう適切に定められる。例えば、単一の毛が可動ブレード２４の歯１１０の先端１１２と静止ブレード充填部５８の端面１１４との間の間隙に容易に進入するのを可能にするよう、十分な空間が提供されるならば、そのような毛はそこに詰まらされ(blocked)或いは閉じ込められる(jammed)かもしれない。これは切断性能を減じることがある。更に、詰まらされる毛は、切断されるよりもむしろ、引き千切られる可能性が高い。これはしばしば不快又は苦痛と感じられ、皮膚を刺激することがある。従って、隙間部分１１８によってもたらされる（長手方向及び側方）空間は、切断されるべき毛の予期される直径よりも小さいのが、特に好ましい。このようにして、隙間空間１１８内に進入する毛によって引き起こされる閉塞の危険性を有意に減少させ得る。隙間長手方向寸法ｌｃｌ及び隙間高さ寸法ｔｃｌのうちの少なくとも一方が、予期されるべき毛の直径よりも小さいことが、多くの場合に十分であることがある。一例として、長手方向寸法ｌｃｌは、０．５ｍｍ未満、好ましくは、０．２ｍｍ未満、より好ましくは、０．１ｍｍ未満であってよい。一例として、長手寸法ｌｃｌに対して垂直な高さ寸法ｔｃｌは、約０．０５ｍｍ〜０．５ｍｍの範囲内、好ましくは、０．０５ｍｍ〜０．２ｍｍの範囲内であってよい。
【００７０】
隙間部分１１８は、可動ブレード２４の歯１１０の先端１１２に隣接する後方部分１２０と静止ブレード充填領域５８の端面１１４にある前方部分１２２とで構成されてよい。隙間部分１１８を示す図７ａにおいて提供される例示の詳細図である図７ｂにおいて最良に見ることができるように、隙間部分１１８の前方部分１２２は、少なくとも１つの移行半径ｒｃｌ１，ｒｃｌ２を含んでよい。この実施態様において、半径ｒｃｌ１は、中間層５４と第１の層５０とを接続してよい。半径ｒｃｌ２は、中間層５４と第２の層５２とを接続してよい。一例として、半径ｒｃｌ１及びｒｃｌ２は、約０．０２５ｍｍ〜約０．２５ｍｍの範囲内、好ましくは、約０．０２５ｍｍ〜約０．１ｍｍの範囲内であってよい。
【００７１】
図５及び６に例示する実施態様に戻ると、このようにして隙間部分１１８の長手寸法ｌｃｌ及び高さ寸法ｔｃｌは広範囲において選択可能であるので、静止ブレード２２を形成する層状の積重ね５６の層状の構造が特に有益であり得ることが解明される。静止ブレード２２を層状の積重ね５６として、或いは、より一般的には、セグメント化された積重ねとして提供することによって、従来技術のブレードセット構造を提供するときには達成され得ない厳格な公差が達成されることがある。図６において更に見ることができるように、静止ブレード２２の前縁３２，３４にある充填領域５８は、長手方向延伸ｌｆｌを含んでよい。一例として、長手方向延伸ｌｆｌは、約０．６ｍｍ〜１．２ｍｍの範囲内、好ましくは、約０．７５ｍｍ〜０．９ｍｍの範囲内、より好ましくは、約０．８ｍｍ〜約０．８５ｍｍの範囲内にあってよい。層状の積重ね５６の層５０，５２，５４の各々を幾何学的特性に対して広くカスタマイズし得るので、従来技術のブレードセット構造アプローチを用いるときに達成し得ない方法において静止ブレード２２を生成し得る。
【００７２】
隙間高さ寸法ｔｃｌは、基本的には、中間層５４の高さ寸法ｔｉに対応する。厳密な公差を更に有して、中間層５４の高さｔｉを正確に定め且つ選択し得るので、少なくとも高さ方向Ｚにおいて、静止ブレード２２のガイドスロット７６内の可動ブレード２４の隙間嵌め噛合(clearance  fit  mating)さえも達成されることがある。ガタガタ（過剰に緩い適合）又は目詰まり（過剰に緩みのない適合）のない滑らかな運転のために、可動ブレード２４がガイドスロット７６内で適切に案内されるように、少なくとも、ガイドスロット７６内で案内される可動ブレード２４の領域における、中間層５４の高さ寸法ｔｉ及び可動ブレード２４の高さ寸法ｔｍによって定められる隙間高さ寸法ｔｃｌを、狭い設計公差で精密に定め得る。結果として得られるアセンブリ隙間高さ寸法ｔｒｃｌが図６に示されており、基本的には、ガイドスロット７６の隙間高さ寸法ｔｃｌ及び可動ブレード２４の高さ寸法ｔｍによって定められる。一例として、隙間高さ寸法ｔｒｃｌは、約０．００３ｍｍ〜約０．０５０ｍｍの範囲内、好ましくは、約０．００５ｍｍ〜約０．０３０ｍｍの範囲内にあってよい。
【００７３】
図４、１１及び１６ａ−１６ｃにおいて最良に見ることができるように、中間層５４における切欠き部分６８は、側方方向Ｙ（又は接線方向ｔ）に沿って動かされるときに可動ブレード２４を案内する内側ガイド部分１２６を更に定めてよい。内側ガイド部分１２６はタブ又はストリップ（細片）として形成されてよい。内側ガイド部分１２６は、基本的には、静止ブレード２２の長手中央部分に配置されてよい。側方開口７８に隣接する内側ガイド部分１２６の端に、テーパ部分１２８を設けてよい。図９及び１０も参照のこと。テーパ部分１２８は、可動ブレード２４のための取付け又は挿入ステップを容易化することがある。
【００７４】
図１１を特に参照して、本開示に従った例示的な実施態様の可動ブレード２４の構造を更に記載し且つ詳述する。頂面図において見られるとき（図４を参照のこと）、可動ブレード２４は、基本的には、第１の前縁１０６と関連付けられる第１のアーム部分１３２と、第２の前縁１０８と関連付けられる第２のアーム部分１３４と、第１のアーム部分１３２と第２のアーム部分１３４とを接続するコネクタ部分とを含む、Ｕ形状であってよい。一例として、コネクタ部分１３６は、可動ブレード２４の側方端に設けられてよく、静止ブレード２２内に取り付けられるとき、静止ブレード２２の側方開口７８の近傍に配置される。換言すれば、第１のアーム部分１３２及び第２のアーム部分１３４は、中間層５４における内側ガイド部分１２６の長手方向延伸に適合される長手方向Ｘにおけるある距離で平行に配置されてよい。可動ブレード２４を案内するために、内側ガイド部分１２６は、第１の側方に延びるガイド表面１４０と、第２の側方に延びるガイド表面１４２とを含んでよい。図４を参照のこと。相応して、可動ブレード２４は、そのそれぞれのアーム部分１３２，１３４に、それぞれの内向きに面する接触部分１４６，１４８を含んでよい。
【００７５】
幾つかの実施態様において、可動ブレード２４の少なくとも１つのアーム部分１３２，１３４に配置される少なくとも１つのガイド部分１４６，１４８は、具体的には少なくとも１つの案内タブ１５０，１５２を備える、少なくとも１つの接触要素１５０，１５２を備えてよい。一例として、（部分的に隠されたモードにおいて）図４に示す可動ブレード２４は、第１のアーム部分１３２にある第１の接触部分１４６に２つの案内タブ１５０を含んでよい。可動ブレード２４は、その第２のアーム部分１３４の第２の接触部分１４８に２つの案内タブ１５２を更に含んでよい。内側ガイド部分１２６の側方に延びるガイド表面１４０，１４２は、長手方向延伸ｌｇｐだけ離間させられてよい。相応して、少なくとも１つの第１の接触要素１５０（又は案内タブ）及び少なくとも１つの第２の接触要素１５２（又は案内タブ）は、長手方向隙間寸法ｌｇｔだけ離間させられてよい。案内タブ１５０，１５２の長手方向隙間寸法ｌｇｔは、内側ガイド部分１２６の長手方向延伸ｌｇｐよりも僅かに大きいように選択されるのが好ましい。このようにして、滑らかな相対的な切断動作を可能にする可動ブレード２４のための明確な隙間嵌め案内を達成してよい。一例として、結果として得られる、長手方向延伸ｌｇｐ及び長手方向隙間寸法ｌｇｔによって定められる隙間長手方向寸法は、約０．００３ｍｍ〜約０．０５０ｍｍの範囲内、好ましくは、約０．００５ｍｍ〜約０．０３０ｍｍの範囲内にあってよい。幾つかの実施態様では、静止ブレード２２におけるガイドスロット７６が、長手方向寸法Ｘにおける並びに高さ（又は垂直）寸法Ｚにおける可動ブレード２４の形態係止案内(form-locked  guidance)をもたらし、それにより、側方方向Ｙに沿う滑らかな運転を可能にすることが特に好適である。言うまでもないが、上述の有益な原理は、図１４、１５ａ及び１５ｂに示すブレードセット２０ａの円形の、或いは、より一般的には、湾曲した実施態様に容易に移転されてよい。
【００７６】
図１５ａ及び１５ｂを特に参照して、（円形）ブレードセット２０ａの静止ブレード２２を更に詳述する。図１５ｂにおいて提供される断面図には線影が示されており、線影は静止ブレード２２が一体部品として形成されてよいことを示している。しかしながら、静止ブレード２２は、第１の壁部分４４と、第２の壁部分４６と、それぞれの可動ブレードのための案内スロット７６を相互に定める中間壁部分４８とを含んでもよい。この関係において、静止ブレード２２ａは、（線形）ブレードセット２０及びそのそれぞれの静止ブレード２２の幾つかの有益な実施態様の上述の原理に従った層状の構造を含んでもよいことが更に記されなければならない。結果的に、第１の壁部分４４、第２の壁部分４６及び中間壁部分４８の各々は、それぞれの壁セグメント又は層によって形成されてよい。上述のように、長手方向のような用語は、円形実施態様との関係において、径方向と考えられてよい。更に、側方又は横断のような用語は、円形実施態様との関係において、接線方向又は円周方向と考えられてよい。
【００７７】
図１６ａ−１６ｆを参照し、図１７を更に参照して、本開示の幾つかの特徴に従ったブレードセット２０の静止ブレード２２のための例示的な製造方法及び製造システムを例示し且つ更に詳述する。図１６ａにおいて見ることができるように、第１の層５０、第２の層５２及び中間層５４、それらのうちの少なくとも１つは、ストリップ材料（細片材料）の形態において提供されてよい。第１の層５０は第１のストリップ１９４から得られてよい。第２の層５２は第２のストリップ１９６から得られてよい。中間層５４は中間ストリップ１９８から得られてよい。これに関して、図１８を更に参照する。図１６ａにおいて既に示したように、ストリップ１９４，１９６，１９８のうちの少なくとも一部は、事前機械加工されてよく或いは事前処理されてよい。図１６ａに例示する準備段階において、切欠き部分６８が中間層５４を定める中間ストリップ１９８において処理されてよい。切欠き部分６８は、実質的にＵ形状の形態を含んでよい。異なる形状も同様に想起されてよい。具体的には、切欠き部分６８は、第１の脚１５８と、第２の脚１６０と、第１の脚１５８と第２の脚１６０とを接続する移行部分１６２とを含んでよい。第１の脚１５８、第２の脚１６０及び移行部分１６２は、中間層５４における内側ガイド部分１２６を定める。
【００７８】
同様に、第２のストリップ１９６から形成される第２の層５２も、切欠き部分１６６を備えてよい。例えば、切欠き部分１６６は、実質的にＵ形状の形態を含んでよい。異なる形状も同様に想起されてよい。切欠き部分１６６は、第１の脚１６８と、第２の脚１７０と、第１の脚１６８と第２の脚１７０とを接続する移行部分１７２とを含んでよい。第１の脚１６８、第２の脚１７０及び移行部分１７２は、それらの間に案内タブ１７４を定めてよい。一般的には、その実際の形状及び大きさに拘わらず、切欠き部分１６６は、静止ブレード２２における開口と考えられてよく、駆動係合部材２６（この関係において図３を参照のこと）は、開口を通じて、静止ブレード２２に対する相対的な切断動作のために可動ブレード２４と接触し且つ可動ブレード２４を駆動させる。結果的に、毛切断器具１０に適合されるとき、第２の層５２にある切欠き部分１６６は、操作中に、ハウジング１２に面し且つ皮膚から見て外方に向いてよい。
【００７９】
図１６ａにおいて更に見ることができるように、少なくとも第１の層５０、好ましくは、各層５０，５２，５４は、実質的に平坦な又は平面的な形状を含んでよい。ストリップ１９４，１９６，１９８の各々は、金属ストリップとして、具体的には、ステンレス鋼のストリップとして提供されてよい。しかしながら、幾つかの実施態様において、第２の層５２及び中間層５４の少なくとも一方は、異なる材料から、例えば、非金属材料から形成されてよい。よって、一般的には、毛切断機能は、可動ブレード２４のレベルにあるそれぞれの切断縁と協働する第１の層５０（又は第１の壁部分４４）の切断縁によって、静止ブレード２２のレベルで遂行される。従って、少なくとも第１の層５０は、金属材料から、特に、ステンレス鋼から形成されるのが好ましいことが多い。層５０，５２，５４の各々は、シート材料として提供されてよい。シート材料は、それぞれのシートメタルリール（板金リール）から、或いは一般的には、シートメタルブランク（板金ブランク）から供給されてよい。
【００８０】
図１６ｂにおいて見ることができるように、第１の層５０、第２の層５２及び中間層５４は、相互接続される準備において相互に整列させられてよい。具体的には、それぞれの層は、ボンディング(bonding)によって、或いは、より好ましくは、溶接によって、固定的に接続されてよい。結果として得られる結合ストリップ(bonded  strip)は、図１６ｂに参照番号２０８によって示されている。それぞれの層を溶接することは、具体的には、レーザ溶接を含んでよい。層５０，５２，５４は、それらの前縁（図１６ｂ中の参照番号２１０）で結合されてよい。更に、幾つかの実施態様において、層５０，５２，５４は、それらの長手方向中心部分で結合されてよく、内側ガイド部分１２６及びガイドストリップ１７４は存在する（参照番号２１２）。溶接は、連続的な溶接及び／又はスポット溶接の形成を包含してよい。
【００８１】
図１６ｃにおいて見ることができるように、図１６ｂに例示する相互接続又はボンディングステップに続いて、分離ステップが続いてよく、分離ステップでは、層状の積重ね５６が結合ストリップから分離され或いは切り離される。切欠き部分６８及び／又は１６６の少なくとも小さな側方部分が結果として得られる層状の積重ね５６から切り離されるように結合ストリップ２０８を切断するときには、側方開口７８が形成されてよく、ガイドスロット７６は、側方開口７８を通じてアクセス可能であってよい。切断又は分離作業は、層状の積重ね５６の基本的に長方形の輪郭２１６を更に定めてよい。
【００８２】
図１６ｄに例示する更なる段階で、層状の積重ね５６の少なくとも１つの前縁９４が処理されてよく、それは、具体的には、少なくとも１つの移行領域９４を定め或いは形成するよう、材料除去処理を包含してよい（図５、６及び７ａも参照のこと）。図１６ｄにおいて見ることができるように、層状の積重ね５６の前縁３２は、歯処理後に歯にも存在する実質的にＵ形状の形態を含んでよい。具体的には、第１の歯脚１７８、第２の歯脚１８０及びコネクタ領域１８２が定められるよう、ガイドスロット７６は、前縁３２内に少なくとも部分的に長手方向に延びてよい。第１の歯脚１７８は、第１の壁部分４４（又は第１の層５０）によって主に定められてよい。第２の歯脚１８０は、主に第２の壁部分４６（又は第２の層５２）から主に形成されてよい。接続領域１８２は、中間壁部分４８（又は中間層５４）から主に形成されてよい。前縁９４を処理することは、材料除去プロセス、具体的には、電気化学的研磨(electro-chemical  machining)を包含してよい。
【００８３】
更なる製造段階で、層状の積重ね５６は、少なくとも１つの前縁４２で、歯４０とそれぞれの歯空間４２とが更に設けられてよい。歯機械加工は、複数のスロットを形成する材料除去プロセスを包含してよく、複数のスロットは、歯空間を定めてよく、それらの間に複数の歯４０を更に定める。歯機械加工は、切断作業を包含してよい。具体的には、歯機械加工は、ワイヤ浸食(wire  eroding)を包含してよい。図１６ｅにおいて更に見ることができるように、中間製造段階で、歯４０は鋭利な移行縁２１８を含んでよく、歯の側方表面２２２及び接触表面２２４は移行縁２１８で接続される。
【００８４】
図１６ｅに例示する段階に後続する図１６ｆに示す更なる製造段階で、歯付き層状の積重ね５６は、更に機械加工され、或いは、より一般的には、処理されてよい。具体的には、歯４０の形成後に存在してよい鋭利な縁２１８は丸められてよい。結果的に、歯側方縁半径Ｒｔｌｅを有する丸められた縁２２０が形成されてよい。丸めることは、材料除去処理、具体的には、電気化学的研磨を包含してよい。この点に関して、図８を更に参照のこと。一例として、腕脚下縁移行の半径Ｒｔｌｅは、約０．０５ｍｍ〜０．０７ｍｍの範囲内、特に、約０．０５３ｍｍ〜０．０６３ｍｍの範囲内にあってよい。
【００８５】
図１６ａ−１６ｆに関して述べるに値することは、それらの順序及びそれぞれの製造段階の順序は、固定的な製造順序を必ずしも包含せず且つ規定しないことである。例えば、図１６ｄ及び１６ｅに例示する製造段階はシフトさせられてよい、或いは、より具体的には、入れ替えられてよい。更に、製造方法の幾つかの実施態様において、移行領域を形成するステップ及び歯付き形状を形成するステップは、同時に、或いは、少なくとも一時的に重なり合って遂行されてさえよい。
【００８６】
図１７は、本開示の幾つかの特徴に従った静止ブレード２２を製造する製造システム２１４を例示している。具体的には、図１６ｂ−１６ｆに例示する初期段階及び中間段階の少なくとも一部は、製造システム２１４を用いて遂行され或いは処理されてよい。
【００８７】
第１の層５０、第２の層５２及び中間層５４を形成するそれぞれのストリップ材料１９４，１９６，１９８が、それぞれのスプール２００，２０２，２０４から供給されてよい。第１のストリップ１９４は、第１のリール２００から供給されてよい。第２のストリップ１９６は、第２のリール２０２から供給されてよい。中間ストリップ１９８は、中間リール２０４から提供されてよい。送り方向が、参照番号２２６によって図１７に示されている。幾つかの実施態様において、リール２０２及び２０４は、第２の層５２及び中間層５４のためのそれぞれの切欠き部分６８及び１６６を既に含んでいてよい。充填表面、即ち、それぞれの切欠きのない表面を含む、第２のストリップ１９６及び中間ストリップ１９８のためのリール材料を提供することも、更に想起されてよい。この場合、製造システム２１４は、ストリップ１９６，１９８にそれぞれの切欠き６８，１６６を形成するために、少なくとも１つの切断又はスタンピングユニットを更に含んでよい。
【００８８】
図１７に例示する実施態様によれば、リール２０２，２０４は、事前製造された或いは事前処理されたストリップ１９６，１９８を含んでよい。それぞれの第１の層５０、第２の層５２及び中間層５４を形成するストリップ材料１９４，１９６，１９８は、ボンディング装置２２８に供給され或いは送られてよい。一般的には、ボンディング装置２２８を相互接続装置又は固定装置と呼んでもよい。ボンディング装置２２８で、ストリップ１９４，１９６，１９８のそれぞれの部分は受け取られ、支持され、そして、整列させられてよい。この点において、事前処理された或いは事前機械加工されたストリップ１９４，１９６，１９８の頂面図を示す図１８を更に参照のこと。この関係において、ストリップ１９４，１９６，１９８は、必ずしもリール２００，２０２，２０４から提供される必要がないことを記す。むしろ、平坦な製品、例えば、シート又はブランクが用いられてよい。ストリップ１９４，１９６，１９８の一部又は各々は、それぞれの対応する整列要素２４２，２４４を備えてよい。整列要素２４２，２４４は、長手方向Ｘ及び側方又は横断方向Ｙにおいて、ストリップ１９４，１９６，１９８のそれぞれの部分の間の相互の位置的な整列をもたらしてよい。一例として、ストリップ１９４，１９６，１９８における第１の整列要素２４２は、長手方向及び横断（又は側方）方向の両方における整列をもたらしてよい。更に、ストリップ１９４，１９６，１９８における整列要素２４４は、横断（又は側方）方向における整列を概ねもたらしてよい。このようにして、ストリップ１９４，１９６，１９８の位置的な重畳決定(over-determination)を防止し得る。幾つかの実施態様において、整列要素２４２は円筒形の孔として成形されてよい。対照的に、整列要素２４４は細長い孔として成形されてよい。ボンディング又は相互接続装置２２８内で十分に整列させられ且つ積み重ねられることで、それぞれのストリップ１９４，１９６，１９８は、固定的に相互接続され、好ましくは、結合され、より好ましくは、溶接され、それにより、結合ストリップ２０８を形成する。この関係において、図１６ｂも参照のこと。
【００８９】
製造システム２１４は、分離装置２３０、具体的には、切断装置又はスタンピング装置２３０を更に含んでよい。分離装置２３０を用いて、ボンディング装置２２８によって提供され且つ分離装置２３０に送られる結合ストリップ２０８のそれぞれの部分は切り離されよい（或いは切り取られてよい）。この関係において図１８を再び参照すると、結合ストリップ２０８の分離されるべき部分は、横断全長寸法ｌｔｒｏを有してよい。結合ストリップ２０８のそれぞれの分離されるべき部分の間に介装される整列要素２４２，２４４の各々は、長さ浪費寸法ｌｗａ１及び長さ浪費寸法ｌｗａ２を含む長さを含む部分にそれぞれ配置されてよい。換言すれば、横断全長寸法ｌｔｒｏを有する複数の層状の積重ね５６を得るために結合ストリップ２０８のそれぞれの部分を切断するとき、それぞれの長さ浪費寸法ｌｗａ１及びｌｗａ２によって図１８に示す切取り部分又は浪費部分も結合ストリップ２０８から切り離し得る（或いは切り取り得る）。単に例示的な目的のために、結合層２０８及び層状の積重ね５６を離間させられた分解図において図１８に示していることを述べなければならない。ストリップ１９４，１９６，１９８が、好ましくは、同じ長手方向延伸ｌｌｏを有してよいことは、更に述べるに値する。
【００９０】
図１７を更に参照すると、製造システム２１４は、歯形状形成装置２３２(tooth  shape  forming  device)、具体的には、ワイヤ浸食装置２３２を更に含んでよい。装置２３２は複数の層状の積重ね５６を同時に含む積重ね２３８を処理するように構成されるのが特に好ましい。歯形状形成装置２３２において、基本的に長手方向に延びるスロットが層状の積重ね５６のそれぞれの前縁３２，３４で生成されてよい。図１６ｅも参照のこと。
【００９１】
製造システム２１４は、処理装置又は機械加工装置３３４、具体的には、そこに提供され且つ供給される層状の積重ね５６を電気化学処理し或いは機械加工し得る装置を更に含んでよい。そうするときには、層状の積重ね５６に鋭利な縁を適用するよう、面取り処理及び／又は丸め処理を適用してよい。図１６ｆも参照のこと。幾つかの実施態様において、処理装置２３４は、層状の積重ね５６で少なくとも１つの移行領域９４を更に形成し或いは機械加工し得てよいことが、更に記されなければならない。図１６ｄも参照のこと。代替的に、製造システム２１４は、更なる別個の処理装置又は機械加工装置、具体的には、電気化学的研磨し得る装置を含んでよい。そのような装置は、例えば、分離装置２３０と歯形態形装置２３２(tooth  form  shaping  device)との間に介装されてよく、層状の積重ね５６の歯４０の形成又は生成前に少なくとも１つの移行領域９４を形成し得てよい。異なる製造段階で少なくとも１つの移行領域９４を形成するために並びに歯４０を丸め又は面取るために基本的に同じ処理装置又は機械加工装置２３４を利用することも想起されてよい。
【００９２】
図１９及び２０を参照して、本開示の幾つかの特徴に従った静止ブレードを製造する方法及びブレードセットを製造する方法の例示的な実施態様の幾つかのステップを例示し且つ更に記載する。図１９は、ブレードセットの静止ブレードを製造する方法を図式的に例示している。一般的には、任意的なステップを破線ブロックによって図１９に示している。初めに、ステップ３００，３０４，３０８で、第１の層、第２の層及び中間層を形成するそれぞれのストリップを提供し或いは供給してよい。ステップ３０４，３０８に先行して、更なる任意的なステップが起こってよい。ステップ３０２，３０６は、それぞれの第２のストリップ及び中間ストリップにおいてそれぞれの切欠き部分を形成することを含んでよく、第２の層は第２のストリップから形成されてよく、中間層は中間ストリップから形成されてよい。しかしながら、代替的に、事前処理された切断ストリップが供給されてよい場合には、ステップ３０２，３０６を省略してよい。任意的な整列ステップ３１０が、ステップ３００，３０４，３０８に続いてよい。整列ステップを分離ステップ３１０と考えてよいが、代替的に、緊密に互いに積み重なるそれぞれのストリップの配置に関する後続のステップ３１２に含めてもよい。ステップ３１２は、第１のストリップと第２のストリップとの間の中間ストリップの配置を更に包含してよい。整列ステップ３１０は、それぞれのストリップ部分の長手方向の及び／又は側方（又は横断方向）の整列を包含してよい。ステップ３１２の下流に、それぞれのストリップを固定的に相互接続させる接続ステップ３１４が続いてよい。具体的には、ステップ３１４は、ボンディングステップ、好ましくは、溶接ステップを包含してよい。このようにして、結合ストリップ、具体的には、結合させられた層状のストリップを形成してよい。
【００９３】
更なる後続の任意的なステップ３１６において、それぞれの積重ね部分を結合ストリップから分離してよい。これは、結合ストリップが、或いは、より正確には、それぞれの層を形成する最初のストリップが、複数の層状の積重ねセグメントがそこから形成されてよいように成形され或いは寸法取られる場合に特に当て嵌まることがある。例えば、第１のストリップ、第２のストリップ及び中間ストリップの各々は、細長いシートメタル材料として、具体的には、リール材料として提供されてよい。このようにして、単一のストリップに基づいて多数の層状の積重ねセグメントを形成してよい。しかしながら、幾つかの実施態様において、形成されるべき層状の積重ねの結果として得られる全体的な形状に既に適合させられたストリップ部分をステップ３００，３０４，３０８で提供してもよい。この場合には、分離ステップ３１６を省略してよい。ステップ３１０でのストリップの整列がストリップ内に設けられる別個の整列要素の考慮の下で遂行される場合には、分離ステップ３１６で、それぞれの整列部分を切り取り或いは切り離してよい。
【００９４】
幾つかの実施態様では、全体的な先端機械加工及び／又は先端円滑化処理３１８が続いてよい。ステップ３１８で、層状の積重ねの少なくとも１つの前縁に少なくとも１つの移行領域を形成し或いは処理してよい。ステップ３１８は、面取り処理及び／又は丸め処理を特に含んでよい。この目的を達成するために、ステップ３１８を電気化学的研磨プロセスとして構成してよい。更なるステップ３２０を提供してよく、それは任意的なステップ３１８の下流（或いは、代替的に、上流）で起こってよい。ステップ３２０は、歯形成ステップ、或いは、より明示的には、歯切断ステップと考えられてよい。例えば、ステップ３２０は、複数のスロット又は歯空間を少なくとも１つの前縁に創り出すために、層状の積重ねの少なくとも１つの前縁での切断作業を包含してよい。ステップ３２０は、例えば、ワイヤ浸食切断作業を利用し得る。ステップ３２０において歯及び歯空間を形成するときには、歯にある概ね鋭利な縁を生成してよい。結果的に、材料を除去する歯機械加工作業を包含してよい更なるステップ３２２が続いてよい。具体的には、ステップ３２２は、鋭利な歯縁での丸め作業又は面取り作業を含んでよい。少なくとも１つの切欠き部分が中間層を形成する中間ストリップ内に存在してよいので、層を配置し、接続し且つ機械加工することは、同時に、可動ブレードを収容してよい層状の積重ね内のガイドスロットも生成してよい。ステップ３２２の終わりに、層状の構造を包含する毛切断器具のための静止ブレードをもたらしてよい。
【００９５】
換言すれば、より一般的には、本開示の他の特徴は、毛切断器具１０のためのブレードセット２０の静止ブレード２２を製造する方法に向けられてよく、当該方法は、以下のステップ、即ち、第１の壁セグメント５０、第２の壁セグメント５２、及び中間壁セグメント５４を提供するステップであって、少なくとも第１の壁セグメント５０は、実質的に平坦な全体的な形状を含み、中間壁セグメントに少なくとも１つの切欠き部分６８を形成するステップと、第１の壁セグメント５０と第２の壁セグメント５２との間に中間壁セグメント５４を配置するステップと、第１の壁セグメント５０、第２の壁セグメント５２、及び中間壁セグメント５４を固定的に相互接続し、具体的には、結合（ボンディング）し、それにより、第１の壁セグメント５０及び第２の壁セグメント５２がそれらの間に配置される中間壁セグメント５４内の少なくとも１つの切欠きを少なくとも部分的に覆うよう、セグメント化された積重ね５６を形成するステップとを含み、第１の壁セグメント５０、第２の壁セグメント５２、及び中間壁セグメント５４は、実質的に均等な全体的な寸法を含み、第１の壁セグメント５０、第２の壁セグメント５２、及び中間壁セグメント５４を相互接続するステップは、更に、以下のステップ、即ち、セグメント化された積重ね５６の長手方向端に、少なくとも１つの前縁３２，３４を形成するステップであって、第１の壁セグメント５０、第２の壁セグメント５２、及び中間壁セグメント５４は、一緒に接続されるステップと、可動ブレード２４のためのガイドスロット７６を形成するステップであって、ガイドスロット７６は、中間壁セグメント５４、第１の壁セグメント５０及び第２の壁セグメント５２における少なくとも１つの切欠き部分６８によって定められるステップと、セグメント化された積重ね５６の少なくとも１つの前縁３２，３４に、それぞれのスロットと交互する複数の相互に離間した突起３６を形成し、それにより、複数の歯４０とそれぞれの歯空間４２とを定めるステップとを含む。壁セグメント５０，５２，５４は、それぞれの層によって形成されてよい。
【００９６】
図２０を今や参照して、毛切断器具のためのブレードセットを製造する方法の例示的な実施態様を提示する。当該方法は、前述の製造方法の幾つかの特徴に従って製造される静止ブレードを供給してよいステップ３３０を含んでよい。静止ブレードは、静止ブレードのガイドスロットにアクセス可能な開口、特に側方開口を含むのが好ましい。更なるステップ３２２で、少なくとも１つの歯付き前縁を含むそれぞれの可動ブレード２４を供給してよい。静止ブレードのガイドスロット内に可動ブレード２４を挿入する組立てステップ３３４が続いてよい。具体的には、可動ブレードは静止ブレードの横断方向（側方）端で側方開口を通過させられるのが好ましい。
【００９７】
強調されることは、上記で導入し且つ説明した製造方法が、本開示の幾つかの有益な特徴に従って成形されるブレードセットの実施態様を製造する唯一の着想可能なアプローチであると解釈されてはならないことである。具体的には、ブレードセットの構造的機能(structural  features)がこの開示中で解明され且つ説明される場合、これらの構造的機能は、特定の製造方法に必ずしも関係しない。静止ブレードを製造するための幾つかの製造方法が想起されてよい。構造的機能の既述が上述の製造方法に言及するときにはいつでも、これは理解のための例示的な追加的情報として解釈されるべきであり、本開示を開示した製造ステップに限定するよう解釈されるべきではない。
【００９８】
更に強調されることは、「第１の層」、「第２の層」及び「中間層」のような用語が、静止ブレードの構造に関してここで用いられる場合にはいつでも、これらはそれぞれ、本開示の範囲から逸脱せずに、「第１の壁部分」、「第２の壁部分」及び「中間壁部分」によって直ちに置換されてよいことである。「第１の層」、「第２の層」及び「中間層」並びに「層状の積重ね」という用語は、本開示を、製造プロセス中に相互接続される前に互いに実際に（物理的に）別個であるスライス状の（例えば、シートメタルの）副部品で実際に構成される静止ブレードの実施態様にのみ限定するように解釈されてはならない。
【００９９】
言うまでもなく、本開示に従ったブレードセット製造方法の実施態様において、ここに記載するステップのうちの幾つかを変更された順序において或いは同時にさえも実行し得る。更に、本発明の範囲から逸脱せずに、一部のステップを省略し得る。
【０１００】
部分的に添付の図面を参照して本発明の例示的な実施態様を上述したが、本発明はこれらの実施態様に限定されないことが理解されるべきである。請求する発明を実施する当業者は、図面、本開示、及び付属の請求項の研究から、開示の実施態様に対する変更を理解し且つ行い得る。この明細書を通じた「１つの実施態様」又は「（ある）実施態様」への言及は。その実施態様との関係において記載される特定の構成(feature)、構造(structure)又は特徴(characteristic)が、本開示に従った静止ブレード、ブレードセット等の、少なくとも１つの実施態様に含まれることを意味する。よって、この明細書を通じた様々な場所における「１つの実施態様において」又は「（ある）実施態様において」という成句の出現は、必ずしも全てが同じ実施態様に言及していない。更に、１つ又はそれよりも多くの実施態様の特定の構成、構造、又は特徴を任意の適切な方法において組み合わせて、明示的に記載されていない新たな実施態様を形成してよい。
【０１０１】
請求項において、「含む」という用語は他の要素又はステップを排除せず、単数形の表現は複数形を排除しない。単一の要素又は他のユニットが請求項において引用される幾つかの品目の機能(functions)を充足してよい。特定の手段が相互に異なる独立項において引用されているという単なる事実は、これらの手段の組み合わせを有利に用い得ないことを示さない。
【０１０２】
請求項における如何なる参照記号も範囲を限定するものとして解釈されてならない。
【図１】
0006444997.tif 000002
【図２】
0006444997.tif 000003
【図３】
0006444997.tif 000004
【図４】
0006444997.tif 000005
【図５】
0006444997.tif 000006
【図６】
0006444997.tif 000007
【図７ａ】
0006444997.tif 000008
【図７ｂ】
0006444997.tif 000009
【図８】
0006444997.tif 000010
【図９】
0006444997.tif 000011
【図１０】
0006444997.tif 000012
【図１１】
0006444997.tif 000013
【図１２】
0006444997.tif 000014
【図１３】
0006444997.tif 000015
【図１４】
0006444997.tif 000016
【図１５ａ】
0006444997.tif 000017
【図１５ｂ】
0006444997.tif 000018
【図１６ａ】
0006444997.tif 000019
【図１６ｂ】
0006444997.tif 000020
【図１６ｃ】
0006444997.tif 000021
【図１６ｄ】
0006444997.tif 000022
【図１６ｅ】
0006444997.tif 000023
【図１６ｆ】
0006444997.tif 000024
【図１７】
0006444997.tif 000025
【図１８】
0006444997.tif 000026
【図１９】
0006444997.tif 000027
【図２０】
0006444997.tif 000028